(57)【要約】【課題】各種玄米を混米して精米（精白米）製品とするまでの各工程を効率的に管理することができる精米生産管理システム、精米生産管理方法及び精米生産管理プログラムを提供する。【解決手段】張込指図書入力手段、搗精日報入力手段、送米日報入力手段、包装日報入力手段、管理番号ごとに各帳票情報を保持するデータベースを備え、該データベースの情報更新手段として、各入力手段において、各帳票情報、各工程の実績情報に基づいて更新情報を作成する更新情報作成手段と、各入力手段において、上記更新情報の整合性を判断し、整合している場合に上記更新情報による上記データベースの情報の更新を可能とする更新情報確認手段とを備えた精米生産管理システム、該システムに基づく精米生産管理方法及び精米生産管理プログラム。【選択図】なし【特許請求の範囲】
【請求項１】
精米原料となる玄米を張り込む張込工程と、玄米を白米に搗精する搗精工程と、搗精された白米の選別を行う選別工程と、選別された白米を計量し、包装する包装工程とを含む精米の生産工程を、張込指図書、搗精日報、送米日報、包装日報に基づいて生産管理する精米生産管理システムであって、上記張込工程を管理するための張込指図書入力手段、上記搗精工程を管理するための搗精日報入力手段、上記選別工程を管理するための送米日報入力手段及び上記包装工程を管理するための包装日報入力手段を備えると共に、管理番号ごとに情報を保持する情報保持手段として、張込指図書情報、搗精日報情報、送米日報情報、包装日報情報、製品在庫管理情報、上記各生産工程での製品の工程戻りに関する情報を含む製品戻り情報及び商品マスタ情報を保持するデータベースを備え、上記管理番号を利用して上記各入力手段ごとに上記データベースの情報を更新する情報更新手段として、上記張込指図書入力手段において、仕入・物流管理システムから取得した玄米在庫情報、上記データベースの上記張込指図書情報、上記製品在庫管理情報及び上記張込工程の実績情報に基づいて、上記張込指図書情報、上記製品在庫管理情報、上記製品戻り情報の更新情報を作成すると共に、上記搗精日報情報、上記送米日報情報、上記包装日報情報の更新情報を作成する張込指図書更新情報作成手段、上記搗精日報入力手段において、上記張込指図書情報、上記搗精日報情報及び上記搗精工程の実績情報に基づいて、上記搗精日報情報、上記張込指図書情報の更新情報を作成する搗精日報更新情報作成手段、上記送米日報入力手段において、上記搗精日報情報、上記製品在庫管理情報及び上記選別工程の実績情報に基づいて、上記張込指図書情報、上記送米日報情報、上記搗精日報情報、上記製品在庫管理情報、上記製品戻り情報の更新情報を作成すると共に、上記包装日報情報の更新情報を作成する送米日報更新情報作成手段及び上記包装日報入力手段において、上記包装日報情報、上記商品マスタ情報、上記製品在庫管理情報及び上記包装工程の実績情報に基づいて、上記張込指図書情報、上記包装日報情報、上記送米日報情報、上記製品在庫管理情報、上記製品戻り情報の更新情報を作成する包装日報更新情報作成手段を含む更新情報作成手段と、上記各入力手段において、上記更新情報の整合性を判断し、整合している場合に上記更新情報による上記データベースの情報の更新を可能とする更新情報確認手段とを備えたことを特徴とする精米生産管理システム。
【請求項２】
上記張込指図書情報が繰越玄米情報、原料明細情報を含み、上記搗精日報情報が繰越白米情報、白米タンクからパッカータンクに送米される白米に関する白米タンク−パッカータンク送米明細情報を含み、上記包装日報情報がパッカータンク白米残情報を含み、上記製品在庫管理情報が商品玄米張込明細情報、商品投入明細情報、商品再パック明細情報を含み、上記商品マスタ情報が包装商品明細情報を含むと共に、上記張込指図書更新情報作成手段が上記繰越玄米情報、上記商品玄米張込明細情報及び上記張込工程の実績情報に基づいて、上記更新情報を作成し、上記搗精日報更新情報作成手段が上記原料明細情報、上記繰越白米情報及び上記搗精工程の実績情報に基づいて、上記更新情報を作成し、上記送米日報更新情報作成手段が上記白米タンク−パッカータンク送米明細情報、上記商品投入明細情報及び上記選別工程の実績情報に基づいて、上記更新情報を作成し、上記包装日報更新情報作成手段が上記パッカータンク白米残情報、上記包装商品明細情報、上記商品再パック明細情報及び上記包装工程の実績情報に基づいて、上記更新情報を作成するものである請求項１記載の精米生産管理システム。
【請求項３】
更に、上記精米生産によって得られた精米製品の在庫を管理する製品入出庫日報入力手段を備え、上記データベースが、更に、製品入庫日、製品出庫日、製品振替日などの製品入出庫基本情報を含む製品入出庫管理情報を含むと共に、上記製品在庫管理情報が、更に、製品入庫明細情報、製品出庫明細情報、製品振替明細情報を含み、上記情報更新手段の更新情報作成手段が、更に、上記製品入出庫日報入力手段において、上記製品入庫明細情報、上記製品出庫明細情報、上記製品振替明細情報、上記製品入出庫基本情報、製品入庫工程の実績情報、製品出庫工程の実績情報、製品振替工程の実績情報に基づいて、上記更新情報を作成すると共に、上記更新情報確認手段が、上記製品入出庫日報入力手段において、上記更新情報の整合性を判断し、整合している場合に上記更新情報による上記データベースの情報の更新を可能とするものである請求項１又は２記載の精米生産管理システム。
【請求項４】
更に、玄米の産年から製品産年を決定する産年決定手段及び搗精日の異なる白米を混米した精米製品の精米日を決定する精米日決定手段の少なくとも一方の手段を備えた請求項１、２又は３記載の精米生産管理システム。
【請求項５】
更に、上記包装日報情報及び上記包装工程における包装計画情報に基づいて、米袋に印字する情報を作成する印字情報作成手段と、印字機への印字指示を送る印字指示手段とを含む印字機連携システムを備えた請求項１乃至４のいずれか１項記載の精米生産管理システム。
【請求項６】
精米原料となる玄米を張り込む張込工程と、玄米を白米に搗精する搗精工程と、搗精された白米の選別を行う選別工程と、選別された白米を計量し、包装する包装工程とを含む精米の生産工程を、張込指図書、搗精日報、送米日報、包装日報に基づいて生産管理する精米生産管理方法であって、上記張込工程を管理するための張込指図書入力手段、上記搗精工程を管理するための搗精日報入力工程、上記選別工程を管理するための送米日報入力工程及び上記包装工程を管理するための包装日報入力工程を備えると共に、管理番号ごとに情報を保持する情報保持工程として、張込指図書情報、搗精日報情報、送米日報情報、包装日報情報、製品在庫管理情報、上記各生産工程での製品の工程戻りに関する情報を含む製品戻り情報及び商品マスタ情報を保持するデータベースを備え、該データベースの上記情報を上記管理番号を利用して上記各入力工程ごとに更新する情報更新工程として、上記張込指図書入力工程において、仕入・物流管理システムから取得した玄米在庫情報、上記データベースの上記張込指図書情報、上記製品在庫管理情報及び上記張込工程の実績情報に基づいて、上記張込指図書情報、上記製品在庫管理情報、上記製品戻り情報の更新情報を作成すると共に、上記搗精日報情報、上記送米日報情報、上記包装日報情報の更新情報を作成する張込指図書更新情報作成工程、上記搗精日報入力工程において、上記張込指図書情報、上記搗精日報情報及び上記搗精工程の実績情報に基づいて、上記搗精日報情報、上記張込指図書情報の更新情報を作成する搗精日報更新情報作成工程、上記送米日報入力工程において、上記搗精日報情報、上記製品在庫管理情報及び上記選別工程の実績情報に基づいて、上記張込指図書情報、上記送米日報情報、上記搗精日報情報、上記製品在庫管理情報、上記製品戻り情報の更新情報を作成すると共に、上記包装日報情報の更新情報を作成する送米日報更新情報作成工程及び上記包装日報入力工程において、上記包装日報情報、上記商品マスタ情報、上記製品在庫管理情報及び上記包装工程の実績情報に基づいて、上記張込指図書情報、上記包装日報情報、上記送米日報情報、上記製品在庫管理情報、上記製品戻り情報の更新情報を作成する包装日報更新情報作成工程を含む更新情報作成工程と、上記各入力工程において、上記更新情報の整合性を判断し、整合している場合に上記更新情報による上記データベースの情報の更新を可能とする更新情報確認工程とを備えたことを特徴とする精米生産管理方法。
【請求項７】
上記張込指図書情報が繰越玄米情報、原料明細情報を含み、上記搗精日報情報が繰越白米情報、白米タンクからパッカータンクに送米される白米に関する白米タンク−パッカータンク送米明細情報を含み、上記包装日報情報がパッカータンク白米残情報を含み、上記製品在庫管理情報が商品玄米張込明細情報、商品投入明細情報、商品再パック明細情報を含み、上記商品マスタ情報が包装商品明細情報を含むと共に、上記張込指図書更新情報作成工程が上記繰越玄米情報、上記商品玄米張込明細情報及び上記張込工程の実績情報に基づいて、上記更新情報を作成し、上記搗精日報更新情報作成工程が上記原料明細情報、上記繰越白米情報及び上記搗精工程の実績情報に基づいて、上記更新情報を作成し、上記送米日報更新情報作成工程が上記白米タンク−パッカータンク送米明細情報、上記商品投入明細情報及び上記選別工程の実績情報に基づいて、上記更新情報を作成し、上記包装日報更新情報作成工程が上記パッカータンク白米残情報、上記包装商品明細情報、上記商品再パック明細情報及び上記包装工程の実績情報に基づいて、上記更新情報を作成するものである請求項６記載の精米生産管理方法。
【請求項８】
更に、上記精米生産によって得られた精米製品の在庫を管理する製品入出庫日報入力工程を備え、上記データベースが、更に、製品入庫日、製品出庫日、製品振替日などの製品入出庫基本情報を含む製品入出庫管理情報を含むと共に、上記製品在庫管理情報が、更に、製品入庫明細情報、製品出庫明細情報、製品振替明細情報を含み、上記情報更新手段の更新情報作成工程が、更に、上記製品入出庫日報入力工程において、上記製品入庫明細情報、上記製品出庫明細情報、上記製品振替明細情報、上記製品入出庫基本情報、製品入庫工程の実績情報、製品出庫工程の実績情報、製品振替工程の実績情報に基づいて、上記更新情報を作成すると共に、上記更新情報確認工程が、上記製品入出庫日報入力工程において、上記更新情報の整合性を判断し、整合している場合に上記更新情報による上記データベースの情報の更新を可能とする請求項６又は７記載の精米生産管理システム。
【請求項９】
更に、玄米の産年から製品産年を決定する産年決定工程及び搗精日の異なる白米を混米した精米製品の精米日を決定する精米日決定工程の少なくとも一方の工程を備えた請求項６、７又は８記載の精米生産管理方法。
【請求項１０】
更に、上記包装日報情報及び上記包装工程における包装計画情報に基づいて、米袋に印字する情報を作成する印字情報作成工程と、印字機への印字指示を送る印字指示工程とを含む印字機連携工程を備えた請求項６乃至９のいずれか１項記載の精米生産管理方法。
【請求項１１】
精米原料となる玄米を張り込む張込工程と、玄米を白米に搗精する搗精工程と、搗精された白米の選別を行う選別工程と、選別された白米を計量し、包装する包装工程とを含む精米の生産工程を、張込指図書、搗精日報、送米日報、包装日報に基づいて管理する生産管理手段としてコンピュータを機能させるための精米生産管理プログラムであって、上記生産管理手段が、上記張込工程を管理するための張込指図書入力手段、上記搗精工程を管理するための搗精日報入力手段、上記選別工程を管理するための送米日報入力手段及び上記包装工程を管理するための包装日報入力手段を備え、上記各入力手段が、データベースに管理番号ごとに保持された張込指図書情報、搗精日報情報、送米日報情報、包装日報情報、製品在庫管理情報、上記各生産工程での製品の工程戻りに関する情報を含む製品戻り情報及び商品マスタ情報を、上記管理番号を利用して上記各入力手段ごとに更新する情報更新手段を含み、該情報更新手段が、上記張込指図書入力手段において、仕入・物流管理システムから取得した玄米在庫情報、上記データベースの上記張込指図書情報、上記製品在庫管理情報及び上記張込工程の実績情報に基づいて、上記張込指図書情報、上記製品在庫管理情報、上記製品戻り情報の更新情報を作成すると共に、上記搗精日報情報、上記送米日報情報、上記包装日報情報の更新情報を作成する張込指図書更新情報作成手段、上記搗精日報入力手段において、上記張込指図書情報、上記搗精日報情報及び上記搗精工程の実績情報に基づいて、上記搗精日報情報、上記張込指図書情報の更新情報を作成する搗精日報更新情報作成手段、上記送米日報入力手段において、上記搗精日報情報、上記製品在庫管理情報及び上記選別工程の実績情報に基づいて、上記張込指図書情報、上記送米日報情報、上記搗精日報情報、上記製品在庫管理情報、上記製品戻り情報の更新情報を作成すると共に、上記包装日報情報の更新情報を作成する送米日報更新情報作成手段及び上記包装日報入力手段において、上記包装日報情報、上記商品マスタ情報、上記製品在庫管理情報及び上記包装工程の実績情報に基づいて、上記張込指図書情報、上記包装日報情報、上記送米日報情報、上記製品在庫管理情報、上記製品戻り情報の更新情報を作成する包装日報更新情報作成手段を含む更新情報作成手段と、上記各入力手段において、上記更新情報の整合性を判断し、整合している場合に上記更新情報による上記データベースの情報の更新を可能とする更新情報確認手段とを含むことを特徴とする精米生産管理プログラム。
【請求項１２】
上記張込指図書情報が繰越玄米情報、原料明細情報を含み、上記搗精日報情報が繰越白米情報、白米タンクからパッカータンクに送米される白米に関する白米タンク−パッカータンク送米明細情報を含み、上記包装日報情報がパッカータンク白米残情報を含み、上記製品在庫管理情報が商品玄米張込明細情報、商品投入明細情報、商品再パック明細情報を含み、上記商品マスタ情報が包装商品明細情報を含むと共に、上記張込指図書更新情報作成手段が上記繰越玄米情報、上記商品玄米張込明細情報及び上記張込工程の実績情報に基づいて、上記更新情報を作成し、上記搗精日報更新情報作成手段が上記原料明細情報、上記繰越白米情報及び上記搗精工程の実績情報に基づいて、上記更新情報を作成し、上記送米日報更新情報作成手段が上記白米タンク−パッカータンク送米明細情報、上記商品投入明細情報及び上記選別工程の実績情報に基づいて、上記更新情報を作成し、上記包装日報更新情報作成手段が上記パッカータンク白米残情報、上記包装商品明細情報、上記商品再パック明細情報及び上記包装工程の実績情報に基づいて、上記更新情報を作成するものである請求項１１記載の精米生産管理プログラム。
【請求項１３】
上記生産管理手段が、更に、上記精米生産によって得られた精米製品の在庫を管理する製品入出庫日報入力手段を備え、上記データベースが、更に、製品入庫日、製品出庫日、製品振替日などの製品入出庫基本情報を含む製品入出庫管理情報を含むと共に、上記製品在庫管理情報が、更に、製品入庫明細情報、製品出庫明細情報、製品振替明細情報を含み、上記情報更新手段の更新情報作成手段が、更に、上記製品入出庫日報入力手段において、上記製品入庫明細情報、上記製品出庫明細情報、上記製品振替明細情報、上記製品入出庫基本情報、製品入庫工程の実績情報、製品出庫工程の実績情報、製品振替工程の実績情報に基づいて、上記更新情報を作成すると共に、上記更新情報確認手段が、上記製品入出庫日報入力手段において、上記更新情報の整合性を判断し、整合している場合に上記更新情報による上記データベースの情報の更新を可能とするものである請求項１１又は１２記載の精米生産管理プログラム。
【請求項１４】
上記生産管理手段が、更に、玄米の産年から製品産年を決定する産年決定手段及び搗精日の異なる白米を混米した精米製品の精米日を決定する精米日決定手段の少なくとも一方の手段を備える請求項１１、１２又は１３記載の精米生産管理プログラム。
【請求項１５】
更に、コンピュータを、上記包装日報情報及び上記包装工程における包装計画情報に基づいて、米袋に印字する情報を作成する印字情報作成手段と、印字機への印字指示を送る印字指示手段とを含む印字機連携手段として機能させるプログラムを含む請求項１１乃至１４のいずれか１項記載の精米生産管理プログラム。
【発明の詳細な説明】
【技術分野】
【０００１】
本発明は、精米生産管理システム、精米生産管理方法及び精米生産管理プログラムに関し、より詳細には、各種玄米を混米して精米（精白米）製品とするまでの各工程を効率的に管理することができる精米生産管理システム、精米生産管理方法及び精米生産管理プログラムに関する。
【背景技術】
【０００２】
従来、精米を生産するに当たり、製品の多様化により、混米（ブレンド）することが日常的に行われており、複数の年産、産地、銘柄の混米はもとより、単一銘柄であっても、年産、産地が異なる混米が行なわれている。そして、昨今の情勢により、精米販売に際して、精米原料の正確な履歴を把握することが求められている。また、精米製品の場合、玄米の産年から製品の産年を決定する必要がある。更に、玄米タンクの玄米を搗精する搗精日を明らかにすることも定められている。そして、単一の玄米を使用した精米製品の場合は、その搗精日が精米製品の精米日となるが、生産工程内で搗精日の異なる複数の白米を混米した場合には、最も古い日付（搗精日）をその精米製品の精米日とすることが定められている。そのため、製品の産年、精米日も正確に把握できることが、より望ましい。
【０００３】
精米工程に関する生産管理システムとしては、例えば特許文献１には、精米（搗精）により得られた米糠を圧搾して得られる米原油、米製油及び米糠粕を効率よく生産し管理する生産管理システムが提案されているが、各種玄米を混米して精米（精白米）製品とするまでの各工程を管理するものではなかった。
【特許文献１】特開２００３−４０４５２号公報
【０００４】
また、精米を生産する際には、各工程ごとに、種々の管理情報を記載した張込指図書、搗精日報、送米日報、包装日報などの書類（帳票）を作成することが要求されている。そして、これらの記入帳票と各タンク残管理表及び包装出来高の関連は、例えば、張込指図書で使用されたグレード、年産、産地、銘柄などの張込データは、玄米タンク残管理表に記録され、搗精日報で使用された張込玄米の重量により、玄米タンク残が更新され、搗精日報で記帳されたグレード、搗精日、白米計量値、白米タンク残重量は、白米タンク残管理表に記録され、包装送米日報の使用された白米重量により白米タンク残管理表を更新し、包装送米日報で指定された送米先パッカータンク毎にパッカータンク残管理表に記録され、包装日報に包装日報Ｎｏ．で示すパッカータンク残の使用重量が記述されている場合に、その重量によりパッカータンク残管理表を更新し、包装日報で記述された製品出来高が包装出来高日報に記録される、というように互いに関連付けられている。そのため、最終的に各書類の管理情報に齟齬があった場合、どの工程における管理情報が違っていたのかがわからないため、全部の書類について管理情報をチェックしなければならなかったが、一連の工程の中で各書類間の管理情報の整合性をチェックすることができれば、齟齬が生じた段階で管理情報が整合するように訂正することができるので、正確な情報管理を行うことが容易となる。
【０００５】
そのため、各種玄米を混米して精米（精白米）製品とするまでの一連の生産工程の中で各生産工程に関する管理情報の整合性をチェックして正確な情報管理を行うことができ、例えば、精米原料の正確な履歴を把握することができ、更に、精米製品の産年、精米日等も正確に把握することも可能であり、混米から精米製品とするまでの各生産工程を効率的に管理することができる精米の生産管理に関する技術の開発が望まれていた。
【発明の開示】
【発明が解決しようとする課題】
【０００６】
本発明は、上記事情に鑑みなされたもので、混米から精米製品とするまでの一連の生産工程の中で各生産工程に関する管理情報の整合性をチェックして正確な情報管理を行うことができ、例えば、精米原料の正確な履歴を把握することができ、更に、精米製品の正確な産年、精米日を把握することも可能であり、混米から精米製品とするまでの各生産工程を効率的に管理することができる精米生産管理システム、精米生産管理方法及び精米生産管理プログラムを提供することを目的とする。
【課題を解決するための手段】
【０００７】
本発明は、上記目的を達成するため、（１）精米原料となる玄米を張り込む張込工程と、玄米を白米に搗精する搗精工程と、搗精された白米の選別を行う選別工程と、選別された白米を計量し、包装する包装工程とを含む精米の生産工程を、張込指図書、搗精日報、送米日報、包装日報に基づいて生産管理する精米生産管理システムであって、上記張込工程を管理するための張込指図書入力手段、上記搗精工程を管理するための搗精日報入力手段、上記選別工程を管理するための送米日報入力手段及び上記包装工程を管理するための包装日報入力手段を備えると共に、管理番号ごとに情報を保持する情報保持手段として、張込指図書情報、搗精日報情報、送米日報情報、包装日報情報、製品在庫管理情報、上記各生産工程での製品の工程戻りに関する情報を含む製品戻り情報及び商品マスタ情報を保持するデータベースを備え、上記管理番号を利用して上記各入力手段ごとに上記データベースの情報を更新する情報更新手段として、上記張込指図書入力手段において、仕入・物流管理システムから取得した玄米在庫情報、上記データベースの上記張込指図書情報、上記製品在庫管理情報及び上記張込工程の実績情報に基づいて、上記張込指図書情報、上記製品在庫管理情報、上記製品戻り情報の更新情報を作成すると共に、上記搗精日報情報、上記送米日報情報、上記包装日報情報の更新情報を作成する張込指図書更新情報作成手段、上記搗精日報入力手段において、上記張込指図書情報、上記搗精日報情報及び上記搗精工程の実績情報に基づいて、上記搗精日報情報、上記張込指図書情報の更新情報を作成する搗精日報更新情報作成手段、上記送米日報入力手段において、上記搗精日報情報、上記製品在庫管理情報及び上記選別工程の実績情報に基づいて、上記張込指図書情報、上記送米日報情報、上記搗精日報情報、上記製品在庫管理情報、上記製品戻り情報の更新情報を作成すると共に、上記包装日報情報の更新情報を作成する送米日報更新情報作成手段及び上記包装日報入力手段において、上記包装日報情報、上記商品マスタ情報、上記製品在庫管理情報及び上記包装工程の実績情報に基づいて、上記張込指図書情報、上記包装日報情報、上記送米日報情報、上記製品在庫管理情報、上記製品戻り情報の更新情報を作成する包装日報更新情報作成手段を含む更新情報作成手段と、上記各入力手段において、上記更新情報の整合性を判断し、整合している場合に上記更新情報による上記データベースの情報の更新を可能とする更新情報確認手段とを備えたことを特徴とする精米生産管理システムを提供する。
【０００８】
ここで、上記精米生産管理システムとしては、上記張込指図書情報が繰越玄米情報、原料明細情報を含み、上記搗精日報情報が繰越白米情報、白米タンクからパッカータンクに送米される白米に関する白米タンク−パッカータンク送米明細情報を含み、上記包装日報情報がパッカータンク白米残情報を含み、上記製品在庫管理情報が商品玄米張込明細情報、商品投入明細情報、商品再パック明細情報を含み、上記商品マスタ情報が包装商品明細情報を含むと共に、上記張込指図書更新情報作成手段が上記繰越玄米情報、上記商品玄米張込明細情報及び上記張込工程の実績情報に基づいて、上記更新情報を作成し、上記搗精日報更新情報作成手段が上記原料明細情報、上記繰越白米情報及び上記搗精工程の実績情報に基づいて、上記更新情報を作成し、上記送米日報更新情報作成手段が上記白米タンク−パッカータンク送米明細情報、上記商品投入明細情報及び上記選別工程の実績情報に基づいて、上記更新情報を作成し、上記包装日報更新情報作成手段が上記パッカータンク白米残情報、上記包装商品明細情報、上記商品再パック明細情報及び上記包装工程の実績情報に基づいて、上記更新情報を作成するものであると、より好適である。
【０００９】
この生産管理システムによれば、例えば張込指図書更新情報作成手段において、玄米在庫情報、自工程の張込指図書情報、製品入出庫管理情報及び該張込工程の実績情報に基づいて、自工程の張込指図書情報、製品入出庫管理情報の更新情報が作成され、また、搗精日報情報、送米日報情報、包装日報情報の更新情報を作成することによって、次工程以降の更新情報も作成されるというように、各工程での管理情報が連結しており、一の工程での管理情報の入力、更新によって、自工程の管理情報、次工程以降の管理情報が更新され、その更新された情報が次工程の基本情報として使用されるので、精米原料の正確な履歴を把握することが可能となる。また、各工程での更新情報は、更新前に整合性がチェックされ、整合する場合に該更新情報によるデータベースの情報の更新が可能となるので、整合しない場合、例えば前工程に戻って情報を修正し、その修正された情報に基づいて自工程の情報を再入力するなどすることによって、各工程ごとに管理情報の齟齬をなくすことができる。
【００１０】
ここで、更に、上記精米生産によって得られた精米製品の在庫を管理する製品入出庫日報入力手段を備え、上記データベースが、更に、製品入庫日、製品出庫日、製品振替日などの製品入出庫基本情報を含む製品入出庫管理情報を含むと共に、上記製品在庫管理情報が、更に、製品入庫明細情報、製品出庫明細情報、製品振替明細情報を含み、上記情報更新手段の更新情報作成手段が、更に、上記製品入出庫日報入力手段において、上記製品入庫明細情報、上記製品出庫明細情報、上記製品振替明細情報、上記製品入出庫基本情報、製品入庫工程の実績情報、製品出庫工程の実績情報、製品振替工程の実績情報に基づいて、上記更新情報を作成すると共に、上記更新情報確認手段が、上記製品入出庫日報入力手段において、上記更新情報の整合性を判断し、整合している場合に上記更新情報による上記データベースの情報の更新を可能とするものであれば、本発明の精米生産管理システムにおいて、精米製品の在庫管理も行うことができるので、より好適である。
【００１１】
また、更に、玄米の産年から製品産年を決定する産年決定手段及び搗精日の異なる白米を混米した精米製品の精米日を決定する精米日決定手段の少なくとも一方の手段を備えたものであれば、精米製品の正確な産年、精米日を把握することができるので、より好適である。ここで、上記産年決定手段は、玄米の産年から製品産年を決定することから、例えば繰越玄米情報、原料明細情報などの玄米情報に基づいて更新情報を作成する張込指図書更新情報作成手段に含まれていることが好ましく、より具体的には、上記産年決定手段は、張込指図書更新情報作成手段において、玄米の産年から製品産年を決定するものであると、より好適である。また、上述したように、混米しない精米製品の場合は、原料玄米の搗精日が精米製品の精米日となることから、通常、搗精日報更新情報作成手段において精米日が決定することができるが、上記精米日決定手段は、搗精日の異なる白米を混米した場合に、最も古い搗精日を精米製品の精米日として決定することから、例えば送米明細、商品投入明細などの製品に使用した白米に関する情報に基づいて更新情報を作成する送米日報更新情報作成手段に含まれていることが好ましく、より具体的には、上記精米日決定手段は、上記送米日報更新情報作成手段において、搗精日の異なる白米を混米した場合に、最も古い搗精日を精米製品の精米日として決定するものであると、より好適である。
【００１２】
更にまた、上記生産管理システムが、更に、上記包装日報情報及び上記包装工程における包装計画情報に基づいて、米袋に印字する情報を作成する印字情報作成手段と、印字機への印字指示を送る印字指示手段とを含む印字機連携システムを備えたものであると、例えば包装ロットごとにシステム内で一元管理をすることが可能となるので、精米原料の正確な履歴を把握することが、より容易となるので、より好適である。
【００１３】
また、本発明は、（２）精米原料となる玄米を張り込む張込工程と、玄米を白米に搗精する搗精工程と、搗精された白米の選別を行う選別工程と、選別された白米を計量し、包装する包装工程とを含む精米の生産工程を、張込指図書、搗精日報、送米日報、包装日報に基づいて生産管理する精米生産管理方法であって、上記張込工程を管理するための張込指図書入力手段、上記搗精工程を管理するための搗精日報入力工程、上記選別工程を管理するための送米日報入力工程及び上記包装工程を管理するための包装日報入力工程を備えると共に、管理番号ごとに情報を保持する情報保持工程として、張込指図書情報、搗精日報情報、送米日報情報、包装日報情報、製品在庫管理情報、上記各生産工程での製品の工程戻りに関する情報を含む製品戻り情報及び商品マスタ情報を保持するデータベースを備え、該データベースの上記情報を上記管理番号を利用して上記各入力工程ごとに更新する情報更新工程として、上記張込指図書入力工程において、仕入・物流管理システムから取得した玄米在庫情報、上記データベースの上記張込指図書情報、上記製品在庫管理情報及び上記張込工程の実績情報に基づいて、上記張込指図書情報、上記製品在庫管理情報、上記製品戻り情報の更新情報を作成すると共に、上記搗精日報情報、上記送米日報情報、上記包装日報情報の更新情報を作成する張込指図書更新情報作成工程、上記搗精日報入力工程において、上記張込指図書情報、上記搗精日報情報及び上記搗精工程の実績情報に基づいて、上記搗精日報情報、上記張込指図書情報の更新情報を作成する搗精日報更新情報作成工程、上記送米日報入力工程において、上記搗精日報情報、上記製品在庫管理情報及び上記選別工程の実績情報に基づいて、上記張込指図書情報、上記送米日報情報、上記搗精日報情報、上記製品在庫管理情報、上記製品戻り情報の更新情報を作成すると共に、上記包装日報情報の更新情報を作成する送米日報更新情報作成工程及び上記包装日報入力工程において、上記包装日報情報、上記商品マスタ情報、上記製品在庫管理情報及び上記包装工程の実績情報に基づいて、上記張込指図書情報、上記包装日報情報、上記送米日報情報、上記製品在庫管理情報、上記製品戻り情報の更新情報を作成する包装日報更新情報作成工程を含む更新情報作成工程と、上記各入力工程において、上記更新情報の整合性を判断し、整合している場合に上記更新情報による上記データベースの情報の更新を可能とする更新情報確認工程とを備えたことを特徴とする精米生産管理方法を提供する。
【００１４】
ここで、上記精米生産管理方法が、上記張込指図書情報が繰越玄米情報、原料明細情報を含み、上記搗精日報情報が繰越白米情報、白米タンクからパッカータンクに送米される白米に関する白米タンク−パッカータンク送米明細情報を含み、上記包装日報情報がパッカータンク白米残情報を含み、上記製品在庫管理情報が商品玄米張込明細情報、商品投入明細情報、商品再パック明細情報を含み、上記商品マスタ情報が包装商品明細情報を含むと共に、上記張込指図書更新情報作成工程が上記繰越玄米情報、上記商品玄米張込明細情報及び上記張込工程の実績情報に基づいて、上記更新情報を作成し、上記搗精日報更新情報作成工程が上記原料明細情報、上記繰越白米情報及び上記搗精工程の実績情報に基づいて、上記更新情報を作成し、上記送米日報更新情報作成工程が上記白米タンク−パッカータンク送米明細情報、上記商品投入明細情報及び上記選別工程の実績情報に基づいて、上記更新情報を作成し、上記包装日報更新情報作成工程が上記パッカータンク白米残情報、上記包装商品明細情報、上記商品再パック明細情報及び上記包装工程の実績情報に基づいて、上記更新情報を作成するものであれば、より好適である。
【００１５】
この生産管理方法によれば、上記（１）記載の生産管理システムと同様に、精米原料の正確な履歴を把握することが可能となり、また、各工程間での管理情報の齟齬をなくすことができる。
【００１６】
また、上記生産管理方法が、更に、上記精米生産によって得られた精米製品の在庫を管理する製品入出庫日報入力工程を備え、上記データベースが、更に、製品入庫日、製品出庫日、製品振替日などの製品入出庫基本情報を含む製品入出庫管理情報を含むと共に、上記製品在庫管理情報が、更に、製品入庫明細情報、製品出庫明細情報、製品振替明細情報を含み、上記情報更新手段の更新情報作成工程が、更に、上記製品入出庫日報入力工程において、上記製品入庫明細情報、上記製品出庫明細情報、上記製品振替明細情報、上記製品入出庫基本情報、製品入庫工程の実績情報、製品出庫工程の実績情報、製品振替工程の実績情報に基づいて、上記更新情報を作成すると共に、上記更新情報確認工程が、上記製品入出庫日報入力工程において、上記更新情報の整合性を判断し、整合している場合に上記更新情報による上記データベースの情報の更新を可能とするものであれば、上記（１）記載の生産管理システムと同様に、本発明の精米生産管理方法において、精米製品の在庫管理も行うことが可能となるので、より好適である。また、上記精米生産管理方法が、更に、玄米の産年から製品産年を決定する産年決定工程及び搗精日の異なる白米を混米した精米製品の精米日を決定する精米日決定工程の少なくとも一方の工程を備えたもの、より好適には、例えば、上記張込指図書更新情報作成工程において、玄米の産年から製品産年を決定する産年決定工程と、上記送米日報更新作成工程において、搗精日の異なる白米を混米した場合に、最も古い搗精日を精米製品の精米日として決定する精米日決定工程との少なくとも一方の工程を含むものであれば、上記（１）記載の生産管理システムと同様に、本発明の精米生産管理方法において、精米製品の正確な産年、精米日を把握することができるので、より好適である。更にまた、上記生産管理方法が、更に、上記包装日報情報及び上記包装工程における包装計画情報に基づいて、米袋に印字する情報を作成する印字情報作成工程と、印字機への印字指示を送る印字指示工程とを含む印字機連携工程を備えたものであれば、上記（１）記載の生産管理システムと同様に、本発明の精米生産管理方法において、例えば包装ロットごとに一元管理をすることが可能となるので、より好適である。
【００１７】
更に、本発明は、（３）精米原料となる玄米を張り込む張込工程と、玄米を白米に搗精する搗精工程と、搗精された白米の選別を行う選別工程と、選別された白米を計量し、包装する包装工程とを含む精米の生産工程を、張込指図書、搗精日報、送米日報、包装日報に基づいて管理する生産管理手段としてコンピュータを機能させるための精米生産管理プログラムであって、上記生産管理手段が、上記張込工程を管理するための張込指図書入力手段、上記搗精工程を管理するための搗精日報入力手段、上記選別工程を管理するための送米日報入力手段及び上記包装工程を管理するための包装日報入力手段を備え、上記各入力手段が、データベースに管理番号ごとに保持された張込指図書情報、搗精日報情報、送米日報情報、包装日報情報、製品在庫管理情報、上記各生産工程での製品の工程戻りに関する情報を含む製品戻り情報及び商品マスタ情報を、上記管理番号を利用して上記各入力手段ごとに更新する情報更新手段を含み、該情報更新手段が、上記張込指図書入力手段において、仕入・物流管理システムから取得した玄米在庫情報、上記データベースの上記張込指図書情報、上記製品在庫管理情報及び上記張込工程の実績情報に基づいて、上記張込指図書情報、上記製品在庫管理情報、上記製品戻り情報の更新情報を作成すると共に、上記搗精日報情報、上記送米日報情報、上記包装日報情報の更新情報を作成する張込指図書更新情報作成手段、上記搗精日報入力手段において、上記張込指図書情報、上記搗精日報情報及び上記搗精工程の実績情報に基づいて、上記搗精日報情報、上記張込指図書情報の更新情報を作成する搗精日報更新情報作成手段、上記送米日報入力手段において、上記搗精日報情報、上記製品在庫管理情報及び上記選別工程の実績情報に基づいて、上記張込指図書情報、上記送米日報情報、上記搗精日報情報、上記製品在庫管理情報、上記製品戻り情報の更新情報を作成すると共に、上記包装日報情報の更新情報を作成する送米日報更新情報作成手段及び上記包装日報入力手段において、上記包装日報情報、上記商品マスタ情報、上記製品在庫管理情報及び上記包装工程の実績情報に基づいて、上記張込指図書情報、上記包装日報情報、上記送米日報情報、上記製品在庫管理情報、上記製品戻り情報の更新情報を作成する包装日報更新情報作成手段を含む更新情報作成手段と、上記各入力手段において、上記更新情報の整合性を判断し、整合している場合に上記更新情報による上記データベースの情報の更新を可能とする更新情報確認手段とを含むことを特徴とする精米生産管理プログラムを提供する。
【００１８】
ここで、上記精米生産管理プログラムにおいて、上記張込指図書情報が繰越玄米情報、原料明細情報を含み、上記搗精日報情報が繰越白米情報、白米タンクからパッカータンクに送米される白米に関する白米タンク−パッカータンク送米明細情報を含み、上記包装日報情報がパッカータンク白米残情報を含み、上記製品在庫管理情報が商品玄米張込明細情報、商品投入明細情報、商品再パック明細情報を含み、上記商品マスタ情報が包装商品明細情報を含むと共に、上記張込指図書更新情報作成手段が上記繰越玄米情報、上記商品玄米張込明細情報及び上記張込工程の実績情報に基づいて、上記更新情報を作成し、上記搗精日報更新情報作成手段が上記原料明細情報、上記繰越白米情報及び上記搗精工程の実績情報に基づいて、上記更新情報を作成し、上記送米日報更新情報作成手段が上記白米タンク−パッカータンク送米明細情報、上記商品投入明細情報及び上記選別工程の実績情報に基づいて、上記更新情報を作成し、上記包装日報更新情報作成手段が上記パッカータンク白米残情報、上記包装商品明細情報、上記商品再パック明細情報及び上記包装工程の実績情報に基づいて、上記更新情報を作成するものであれば、より好適である。
【００１９】
このプログラムによれば、上記（１）記載の生産管理システムと同様に、精米原料の正確な履歴を把握することが可能となり、また、各工程間での管理情報の齟齬をなくすことができる。
【００２０】
ここで、上記プログラムにおいて、上記生産管理手段が、更に、上記精米生産によって得られた精米製品の在庫を管理する製品入出庫日報入力手段を備え、上記データベースが、更に、製品入庫日、製品出庫日、製品振替日などの製品入出庫基本情報を含む製品入出庫管理情報を含むと共に、上記製品在庫管理情報が、更に、製品入庫明細情報、製品出庫明細情報、製品振替明細情報を含み、上記情報更新手段の更新情報作成手段が、更に、上記製品入出庫日報入力手段において、上記製品入庫明細情報、上記製品出庫明細情報、上記製品振替明細情報、上記製品入出庫基本情報、製品入庫工程の実績情報、製品出庫工程の実績情報、製品振替工程の実績情報に基づいて、上記更新情報を作成すると共に、上記更新情報確認手段が、上記製品入出庫日報入力手段において、上記更新情報の整合性を判断し、整合している場合に上記更新情報による上記データベースの情報の更新を可能とするものであれば、上記（１）記載の生産管理システムと同様に、本発明の精米生産管理プログラムによって、精米製品の在庫管理も行うことが可能となるので、より好適である。また、上記生産管理手段が、更に、玄米の産年から製品産年を決定する産年決定手段及び搗精日の異なる白米を混米した精米製品の精米日を決定する精米日決定手段の少なくとも一方の手段を備えるもの、より好適には、例えば、上記張込指図書更新情報作成手段が、更に、玄米の産年から製品産年を決定する産年決定手段を備えるものであったり、上記送米日報更新作成手段が、搗精日の異なる白米を混米した場合に、最も古い搗精日を精米製品の精米日として決定する精米日決定手段を備えるものであれば、上記（１）記載の生産管理システムと同様に、本発明の精米生産管理プログラムによって、精米製品の正確な産年、精米日を把握することができるので、より好適である。更にまた、上記精米生産管理プログラムが、更に、コンピュータを、上記包装日報情報及び上記包装工程における包装計画情報に基づいて、米袋に印字する情報を作成する印字情報作成手段と、印字機への印字指示を送る印字指示手段とを含む印字機連携手段として機能させるプログラムを含むものであれば、例えば包装ロットごとに一元管理をすることが可能となるので、より好適である。
【発明の効果】
【００２１】
本発明によれば、精米原料の正確な履歴を把握することができるのみならず、精米製品の産年、精米日等を正確に把握することも可能であり、更に、一連の工程の中で各情報の整合性をチェックして正確な情報管理を容易に行うことができる。
【発明を実施するための最良の形態】
【００２２】
以下、図面を参照して、本発明の精米生産管理システム、精米生産管理方法及び精米生産管理プログラムの好適な実施の形態を更に詳しく説明する。
【００２３】
本発明において、精米の生産工程は、精米原料となる玄米を張り込む張込工程、玄米を白米に搗精する搗精工程、搗精された白米の選別、より詳細には、搗精された白米から砕米、米糠のかたまりなどを除去する砕粒選別及び着色米、ガラス、プラスチックの破片などを除去する色彩選別を行う選別工程、選別された白米を計量し、包装する包装工程とを含む。そして、各工程を行うに当たり、張込指図書、搗精日報、送米日報、包装日報の各帳票を作成することが要求されている。本発明は、この生産工程を上記各帳票に基づいて管理するものであり、本発明において管理情報を保持する際に使用する管理番号は、特に制限されるものではないが、例えば張込指図書番号、搗精日報番号、送米日報番号、包装日報番号等の各帳票の番号などを利用すると、好適である。
【００２４】
ここで、本発明における精米生産管理業務の好適な業務フローを図１の業務フロー図を用いて説明する。図１において、Ａは、玄米仕入先の玄米倉庫、Ｂは、商品とする精米製品を保管する商品倉庫であり、ａは、既存の仕入・物流管理システムの玄米在庫データベース、ｂは、後述する製品在庫データベースである。本発明の場合、本発明の管理プログラムをインストールした各工場などのクライアントコンピュータをネットワークで繋いで各帳票入力装置１１〜１５、必要に応じて使用される管理用コンピュータを例えば、月間受払表出力装置７、ロットトレース表出力装置８などとして使用することができる。なお、コンピュータ（入力装置）は、各工程ごとに１台ずつ用意する必要は必ずしもなく、場合によっては各工場などに１台であってもよい。本発明における精米生産管理業務の好適な業務フローは、まず、後述するように玄米在庫データベースａを利用した張込指図書入力装置１１によって、張込指図書１ａ、搗精日報２ａ、送米日報３ａ、包装日報４ａの各手書作業書を作成し、各手書作業書に従って、玄米倉庫Ａより精米工程に送られた玄米を張り込む張込工程１、搗精工程２、選別工程３、包装工程４を行い、得られた精米製品を製品倉庫５に送り、更に、商品とする精米製品を商品倉庫Ｂに送る。そして、本発明の精米生産管理システムは、張込工程１、搗精工程２、選別工程３、包装工程４を実施するごとに、本発明の管理プログラムをインストールしたクライアントコンピュータである張込指図書入力装置１１によって張込工程における更新情報作成、更新情報確認、データベースの情報の更新を行い、搗精日報入力装置１２、送米日報入力装置１３、包装日報入力装置１４においても、同様に各工程における更新情報作成、更新情報確認、データベースの情報の更新を行う。また、本発明において、製品在庫管理を行う場合、製品を製品倉庫５に送った後、製品入出庫日報入力装置１５により、同様に更新情報作成、更新情報確認、データベースの情報の更新を行う。更に、本発明において印字機連携とする場合は、包装工程４に先立って印字計画を立て、包装計画・実績及び米袋印字に関する情報を入力する印字機連携情報入力装置１６を使用し、帳票商品在庫表１６ａを作成する。なお、この場合、印字機連携情報入力装置１６により印字指示をした後、包装日報入力装置１４により包装日報の更新情報作成、更新情報確認、データベースの情報の更新を行う。また、張込確認６を行った後、張込指図書入力装置１１を使用して、使用玄米を玄米在庫データベースａの在庫から引けるように、データを送信したり、更に、例えば本発明の管理プログラムをインストールしたクライアントコンピュータの一台を管理用コンピュータとし、月間受払表出力装置７として使用して月間受払表７ａを作成したり、ロットトレース表出力装置８として使用して精米原料の履歴を表に示したロットトレース表８ａを作成することもできる。このロットトレース表８ａによって、各精米製品ごとに精米原料の正確な履歴を容易に把握することができる。
【００２５】
次に、本発明による精米生産管理の好適な基本構成を図２の概念図を用いて説明する。本発明による精米生産管理は、図２に示すように、各工程を管理する各帳票情報をコンピュータ入力する際に使用するデータを、基本データと付加データとしたとき、張込指図書入力工程２１で張込指図書情報１１ａの基本データを使用し、コンピュータ処理によって張込指図書情報１１ａの基本データと付加データを更新し、搗精日報入力工程２２では、更新された張込指図書情報１１ａの付加データを搗精日報情報１２ａの基本データとして使用していき、コンピュータ処理によって搗精日報情報１２ａの基本データと付加データを更新し、同様に、送米日報入力工程２３では、更新された搗精日報情報１２ａの付加データを送米日報情報１３ａの基本データとして使用していき、包装日報入力工程２４では、印字機連携の場合は、印字機連携情報入力工程（印字情報作成工程）２６により更新されたデータも合わせて使用する。このように、各入力工程を連結させて、更新データに不整合が生じた時は、前入力工程に戻ってデータ修正をしていくことができるようにしたものである。
【００２６】
本発明のデータベースは、張込指図書情報、搗精日報情報、送米日報管理情報、包装日報情報、製品の在庫情報などに関する製品在庫管理情報、上記各生産工程での製品の工程戻りに関する情報を含む製品戻り情報及び商品マスタ情報を管理番号に基づいて格納するものであり、好ましくは、上記張込指図書情報が繰越玄米情報、原料明細情報等を含み、上記搗精日報情報が繰越白米情報、白米タンクからパッカータンクに送米される白米に関する白米タンク−パッカータンク送米明細情報等を含み、上記包装日報情報がパッカータンク白米残情報等を含み、上記製品在庫管理情報が商品玄米張込明細情報、商品投入明細情報、商品再パック明細情報等を含むものであり、より好ましくは、更に、製品入庫日、製品出庫日、製品振替日などの製品入出庫日報基本情報等を含む製品入出庫管理情報を含むものである。
【００２７】
このように各帳票情報、管理情報を保持するデータベースとしては、例えば、張込指図書情報等に関するトランザクションテーブルとして、繰越玄米情報、原料明細情報などの張込工程における基本情報（張込指図書の基本情報）を保持する張込指図基本テーブル、張込指図書の張込玄米情報を保持する張込玄米テーブル、張込指図書の繰越玄米情報を保持する張込繰越玄米テーブル、搗精日報情報等に関するトランザクションテーブルとして、繰越白米情報、白米タンクからパッカータンクに送米される白米に関する白米タンク−パッカータンク送米明細情報などの搗精工程における基本情報（搗精日報の基本情報）を保持する搗精日報基本テーブル、搗精日報の原料情報（搗精した玄米に関する搗精玄米情報）を保持する搗精玄米テーブル、搗精日報の繰越白米情報（搗精した白米に関する搗精繰越白米情報）を保持する搗精繰越白米テーブル、送米日報情報等に関するトランザクションテーブルとして、選別工程における基本情報（送米日報の基本情報）を保持する送米日報基本テーブル、送米日報の白米情報（選別された白米に関する送米白米情報）を保持する送米白米テーブル、包装日報情報等に関するトランザクションテーブルとして、パッカータンク白米残情報などの包装工程における基本情報（包装日報の基本情報）を保持する包装日報基本テーブル、包装日報の白米情報（包装された白米に関する包装白米情報）を保持する包装白米テーブル、包装日報の製品明細情報（包装製品明細情報）を保持する包装製品明細テーブル、製品在庫管理情報等に関するトランザクションテーブルとして、商品玄米張込明細情報、商品投入明細情報、商品再パック明細情報、製品入庫明細情報、製品出庫明細情報、製品振替明細情報などの在庫情報（在庫量）などを保持する製品在庫テーブル、製品入出庫管理情報等に関するトランザクションテーブルとして、製品入庫日、製品出庫日、製品振替日などの製品入出庫日報の基本情報を保持する製品入出庫基本テーブル、製品入出庫日報の入荷明細情報を保持する製品入出庫明細テーブル、製品入出庫日報のロット情報を保持する製品入出庫ロット明細テーブル、各生産工程（処理）での製品戻り情報を保持する製品戻りテーブルを備えたものが好適であり、更に、既存の仕入れ・物流システムと情報交換をするために、送信データ作成用の出来高出力テーブル、製品入荷出力テーブル、製品戻り出力テーブル、張込実績出力テーブル、受信データ用の製品入庫取り込みテーブル等を備えていると、より好適である。そして、更に、これらのトランスザクションテーブルの履歴テーブル各種を備え、各トランザクションテーブルが、それぞれ更新時に履歴テーブルを作成し、更新情報を保持するように構成すると、過去の更新内容を参照することが可能となるので、より好適である。
【００２８】
本発明において、上記トランザクションテーブルは、図３の構成図のように関連付けられていると、好適である。図３は、上記各トランザクションテーブルの関係を示すものであり、図３において、「ＴＢＬ」は「テーブル」であり、丸印を付した情報は、基本的な検索情報である。そして、各テーブルを結ぶ実線は、各テーブルが互いにリンクしていることを示し、破線は、各テーブルがリンクはしていないが、関連性を有することを示している。図３に示すように、各工程の基本情報を保持した張込指図基本テーブル２１ａ、搗精日報基本テーブル２２ａ、送米日報基本テーブル２３ａ、包装日報基本テーブル２４ａがリンクしており、更に、張込指図基本テーブル２１ａは、張込玄米テーブル２１ｂ、張込繰越玄米テーブル２１ｃ、製品戻りテーブル２７とリンクし、搗精日報基本テーブル２２ａは、搗精玄米テーブル２２ｂ、搗精繰越白米テーブル２２ｃとリンクし、送米日報基本テーブル２３ａは、送米白米テーブル２３ｂ、製品戻りテーブル２７とリンクし、包装日報基本テーブル２４ａは、包装白米テーブル２４ｂ、包装製品明細テーブル２４ｃ、製品戻りテーブル２７とリンクし、更に、包装製品明細テーブル２４ｃは、製品在庫テーブル２５とリンクし、製品在庫テーブル２５は、製品入出庫基本テーブル２６ａ、製品入出庫明細テーブル２６ｂとリンクした製品入出庫ロット明細テーブル２６ｃとリンクしており、このように各テーブルをリンクすることによって、後述するように本発明の生産管理を好適に行うことができる。
【００２９】
また、マスタテーブルとして、ログイン時のＩＤ、パスワード、工場コード、ユーザ権限を保持し、担当者のマスタテーブルとしても使用する社員マスタテーブル、工場コード、工場名、包装ロットの頭文字を保持する工場マスタテーブル、工場で使用できる倉庫の場所に関連する工場・倉庫関連マスタテーブル、製品入出庫日報の処理区分を保持する処理区分マスタ、システムの運用日付、連番の現在値（採番に使用）を保持する環境マスタテーブル、仕入れ・物流管理システムのマスタテーブルを本発明のシステム側にて２重化する（バッチにてマスタデータを受け取る）白米グレードマスタテーブル、産地マスタテーブル、銘柄マスタテーブル、包装マスタテーブル、制度マスタテーブル、地区マスタテーブル、等級マスタテーブル、農協マスタテーブル、農法マスタテーブル、生産者マスタテーブル、袋重量マスタテーブル、商品マスタテーブル、受信バッチにて使用し、受信ファイルやバッチログファイルのサーバ上でのパスを保持するファイルパスマスタテーブルを備えていることが望ましい。このようなマスタテーブルを有する場合、各種マスタテーブルは張込指図基本テーブルとリンクさせ、商品マスタテーブルは、包装日報明細テーブル、製品在庫テーブル、製品戻りテーブル、製品入出庫明細テーブルにリンクさせると、より好適である。
【００３０】
更に、本発明において、印字機連携システム（手段）を含む場合、印字機データベースとしては、トランザクションテーブルとして、印字内容を保持する（完了の前まで）新規の印字機基本テーブル、印字内容を保持する（完了のもの）新規の印字機基本保存テーブル、包装日報の基本情報を保持する既存の包装日報基本テーブル、包装日報の製品明細情報を保持する既存の包装製品明細テーブル、製品の在庫情報（在庫量）を保持する既存の製品在庫テーブル、既存の管理システムに送信する製品の在庫情報を保持する既存の出来高出力テーブル、採番した印字データ（ロット付）で削除をしたものを保持する新規の削除ロット管理テーブルを備え、マスタテーブルとして、包装設置（パッカー）を管理する新規のパッカーマスタテーブル、端末で使用出来るパッカーを管理する新規の端末使用パッカーマスタテーブル、印字形式及び印刷必須項目を管理する新規の印字形式マスタテーブル、印刷時ロット印字の有無の管理、完了処理時一覧からの行削除の有無を管理する新規のロット印字マスタテーブル、上記社員マスタテーブル、上記工場マスタテーブル、上記環境マスタテーブル、上記商品マスタテーブルを備えたものが好適である。
【００３１】
本発明において管理番号（例えば張込指図書Ｎｏ．）を利用して上記各入力工程ごとに上記データベースの情報を更新する情報更新手段（工程）は、更新情報作成手段（工程）と更新情報確認手段（工程）を含み、情報更新手段（工程）としては、（１）張込工程に関し、仕入・物流管理システムから取得した玄米在庫情報、張込指図書情報の繰越玄米情報、製品在庫管理情報の商品玄米張込明細情報及び該張込工程の実績情報に基づいて、張込指図書情報、製品在庫管理情報、製品戻り情報の更新情報を作成すると共に、搗精日報情報、送米日報情報、包装日報情報の更新情報を作成し、より好適には、玄米の産年から製品産年を決定する産年決定手段（工程）を含む張込指図書更新情報作成手段（工程）、（２）搗精工程に関し、張込指図書情報の原料明細情報、搗精日報情報の繰越白米情報及び該搗精工程の実績情報に基づいて、搗精日報情報、張込指図書情報の更新情報を作成する搗精日報更新情報作成手段（工程）、（３）選別工程に関し、搗精日報情報の白米タンク−パッカータンク送米明細情報、製品在庫管理情報の商品投入明細情報及び該選別工程の実績情報に基づいて、張込指図書情報、送米日報情報、搗精日報情報、製品在庫管理情報、製品戻り情報の更新情報を作成すると共に、包装日報情報の更新情報を作成し、より好適には、精米製品の精米日を決定する精米日決定手段（工程）を含む送米日報更新情報作成手段（工程）及び（４）包装工程に関し、包装日報情報のパッカータンク白米残情報、商品マスタ情報の包装商品明細情報、製品在庫管理情報の商品再パック明細情報及び該包装工程の実績情報に基づいて、張込指図書情報、包装日報情報、送米日報情報、製品在庫管理情報、製品戻り情報の更新情報を作成する包装日報更新情報作成手段（工程）を含み、より好ましくは（５）製品入庫工程に関し、製品在庫管理情報の製品入庫明細情報、製品入出庫管理情報の製品入出庫日報基本情報及び製品入庫工程の実績情報に基づいて、製品入出庫管理情報、製品在庫管理情報の更新情報を作成する製品入庫日報更新情報作成手段（工程）と、製品出庫工程に関し、製品在庫管理情報の製品出庫明細情報、製品入出庫管理情報の製品入出庫基本情報及び製品出庫工程の実績情報に基づいて、製品入出庫管理情報、製品在庫管理情報の更新情報を作成する製品出庫管理更新情報作成手段（工程）と、製品振替工程に関し、製品在庫管理情報の製品振替明細情報、製品入出庫管理情報の製品入出庫基本情報及び製品振替工程の実績情報に基づいて、製品入出庫管理情報、製品在庫管理情報の更新情報を作成する製品振替管理更新情報作成手段（工程）とからなる製品入出庫管理更新情報作成手段（工程）を含む更新情報作成手段（工程）を含むものが、より好適である。
【００３２】
上記更新情報の整合性をチェックし、整合する場合に更新可能とする更新情報確認手段（工程）としては、例えば、整合しない場合には、コンピュータの入力画面上で、次の段階に進まないで、最初の画面に戻るように構成し、整合しないことを入力者に認識させて、例えば、前工程に戻って入力情報を訂正するようにする手段などが挙げられる。
【００３３】
本発明の更新情報作成手段（工程）と更新情報確認手段（工程）を備えた情報更新手段（工程）、必要に応じて付加される印字機連携システム（工程）を実行するシステムは、図４〜図１２に示す生産管理処理を実行するクライアントコンピュータによって実施できる。図４は、張込指図書入力手段（工程）における更新情報作成手順、更新情報確認手順、データベースの情報の更新手順の一例を示すフローチャート、図５は、搗精日報入力手段（工程）における更新情報作成手順、更新情報確認手順、データベースの情報の更新手順の一例を示すフローチャート、図６は、送米日報入力手段（工程）における更新情報作成手順、更新情報確認手順、データベースの情報の更新手順の一例を示すフローチャート、図７は、包装日報入力手段（工程）における更新情報作成手順、更新情報確認手順、データベースの情報の更新手順の一例を示すフローチャート、図８は、製品在庫処理のための製品入出庫日報入力手段（工程）における製品入庫日報入力手段（工程）に関する更新情報作成手順、更新情報確認手順、データベースの情報の更新手順の一例を示すフローチャート、図９は、製品在庫処理ための製品入出庫日報入力手段（工程）における製品出庫日報入力手段（工程）に関する更新情報作成手順、更新情報確認手順、データベースの情報の更新手順の一例を示すフローチャート、図１０は、製品在庫処理ための製品入出庫日報入力手段（工程）における製品振替日報入力手段（工程）に関する更新情報作成手順、更新情報確認手順、データベースの情報の更新手順の一例を示すフローチャート、図１１は、印字機連携システムにおいて米袋への印字内容を登録処理手順の一例を示すフローチャート、図１２は、印字機連携システムにおいて印字機への指示手順、在庫表印字手順の一例を示すフローチャートである。なお、以下の説明において、「ＨＴＫ」は白米タンク、「ＧＴＫ」は玄米タンク、「ＰＴＫ」はパッカータンク（包装機前タンク）である。
【００３４】
図４に示す張込工程に関する生産管理処理は、まず、ステップＳ１で張込指図書入力画面を表示し、ステップＳ２、Ｓ３、Ｓ４で、担当者マスタテーブル５０のデータを利用して担当者を指定する。ステップＳ５でグレードＮｏ．を入力して、ステップＳ６でグレードマスタテーブル５１のデータを利用してグレード名を表示する。ステップＳ７で張込日を入力し、ステップＳ８で仕入れロットを入力し、ステップＳ９で仕入れロットが受託玄米か否かを判断し、受託玄米でなければ、ステップＳ１０で本社サーバデータベース４１の玄米在庫データを参照し、ステップＳ１１で張込玄米明細のデータを表示する。ステップＳ９で仕入れロットが受託玄米であると判断した場合は、ステップＳ１２で玄米情報登録画面を表示し、ステップＳ１３で玄米情報登録データとして年産、産地、銘柄、数量などの明細を入力し、ステップＳ１４で登録して、ステップＳ１１へと進む。ステップＳ１５で張込玄米明細のデータとして玄米俵数の数量を入力し、ステップＳ１６で本社サーバデータベース４１のデータを利用して玄米の包装本数（数量×単重÷包装単重）、重量（数量×単重）（ｋｇ）を計算し、その結果を画面表示する。ステップＳ１７で張込指図書Ｎｏ．を入力して、ステップＳ１８で張込指図書基本テーブル（データベース）２１ａのデータを利用して繰越玄米のデータを画面表示する。ステップＳ１９、Ｓ２０、Ｓ２１で担当者マスタテーブル５０のデータを利用して商品投入担当者を指定する。ステップＳ２２で商品コード又は包装ロットＮｏ．を入力し、ステップＳ２３で製品在庫テーブル（データベース）２５のデータを利用して商品玄米張込明細データを画面表示し、ステップＳ２４で商品玄米張込明細のデータとして製品玄米の本数を入力し、ステップＳ２５で合計重量（本数×包装規格重量）を計算し、その結果を画面表示する。ステップＳ２６で玄米タンク情報として玄米タンク番号を入力し、ステップＳ２７で張込玄米重量合計（玄米計量値）を入力する。なお、初期値として、玄米張込重量合計と合計重量の合計を表示する。ステップＳ２８で玄米タンク情報として繰越玄米重量（繰越玄米の繰越玄米重量）を表示し、ステップＳ２９で玄米タンク情報として商品張込戻重量（商品玄米張込明細の合計重量）を表示し、ステップＳ３０で玄米タンク情報として張込合計重量（張込玄米重量合計と繰越玄米重量と商品張込戻重量との合計重量）を表示する。ステップＳ３１で玄米タンク情報として使用重量（搗精工程で使用された重量）を表示する。但し、初期入力時はゼロと表示する。ステップＳ３２で玄米タンク情報として玄米タンク残重量（張込合計重量−使用重量の計算値）を表示し、ステップＳ３３で張込指図書の登録をし、ステップＳ３４で処理を続行するか否かの確認メッセージを画面表示し、ステップＳ３５で処理を継続するか否かを選択し、ステップＳ３６で処置を継続するか否かを判断し、継続しない場合には、ステップＳ１に戻る。ステップＳ３７は張込指図書入力工程（ステップ）における更新情報確認工程（ステップ）であり、継続する場合には、ステップＳ３７で上記ステップによって作成された更新情報（入力内容）について、必須項目チェック、各マスタテーブルによる妥���性チェック（以下、マスタ存在チェック）、張込日チェック、調製日チェック、引当可否チェック、受託玄米の玄米情報チェックをして、入力内容の整合性がとれているか否かを判断し、整合性がとれていない場合は、ステップＳ１に戻り、張込指図書入力画面が表示される。この場合、入力者は、最初から入力情報をチェックし、入力した情報の内容を確認する。整合性がとれている場合は、ステップＳ３８で張込指図書Ｎｏ．を採番し、産年決定工程（ステップ）であるステップＳ３９で玄米の産年から製品産年を決定し、ステップＳ４０で張込指図書基本テーブル、張込玄米テーブル、張込繰越玄米テーブル、張込指図書基本テーブル（繰越元データの登録）、製品戻りテーブル、製品在庫テーブル、製品戻り出力テーブルのデータの更新を行う。ステップＳ４１で印刷指定画面を表示し、ステップＳ４２で出力対象（全工程、張込指図書、搗精日報、送米日報、包装日報）を選択し、ステップＳ４３で印刷を指示する。ステップＳ４４で搗精日報基本テーブル、送米日報基本テーブル、包装日報基本テーブルのデータを更新して次工程以降のデータを作成する。ステップＳ４５で選択した帳票を印刷し、ステップＳ４６で続けて入力（処理）を行うかの確認メッセージを表示し、ステップＳ４７で続けて入力を行うか否かを選択し、ステップＳ４８で続けて入力を行うか否かを指示し、続けて入力を行う場合は、ステップＳ１に戻り、続けて入力を行わない場合は、ステップＳ４９でメニュー画面を表示して処理を終了する。
【００３５】
図５に示す搗精工程に関する生産管理処理は、まず、ステップＳ５１で搗精日報入力画面を表示し、ステップＳ５２、Ｓ５３で、担当者マスタテーブル５０のデータを利用して搗精担当者を指定する。ステップＳ５４で搗精日を表示（新規作成時は当日日付を表示）する。ここで、上述したように、精米製品が単一白米からなるものであれば（混米しなければ）、このステップＳ５４で表示された搗精日が精米製品の精米日となる。ステップＳ５５で原料明細情報として、張込指図書Ｎｏ．を変更する（初期値は、搗精日報Ｎｏ．と同一の張込指図情報を表示）。ステップＳ５６で張込指図書基本テーブル（データベース）２１ａのデータを利用して原料明細のデータを画面表示する。ステップＳ５７で搗精明細情報の明細項目の入力処理として、ライン入力、開始時間入力、終了時間入力、搗精受入重量入力（初期値は原料明細と繰越白米の合計重量を表示）、砕米入力、着色入力、白米計量値入力、白米歩留（搗精受入重量÷白米計量値の計算値を表示）、ＨＴＫ入力、ＨＴＫ受入重量、製品出来高重量（白米計量値を表示）、繰越白米重量（繰越白米合計重量の値）、ＰＴＫ送米重量（選別工程で使用された重量）、白米タンク残重量（製品出来高重量−ＰＴＫ送米重量の計算値）、品質検査情報を入力する。ステップＳ５８で繰越白米情報として搗精日報Ｎｏ．を変更し、ステップＳ５９で搗精日報基本テーブル（データベース）２２ａの繰越白米データを画面表示し、ステップＳ６０で繰越白米情報として、繰越白米重量を入力し、ステップＳ６１で登録する。ステップＳ６２で処理を続行するか否かの確認メッセージを画面表示し、ステップＳ６３で処理を継続するか否かを選択し、ステップＳ６４で処置を継続するか否かを判断し、継続しない場合には、ステップＳ５１に戻り、継続する場合には、ステップＳ６５で搗精日報基本テーブル（データベース）２２ａのデータを利用して更新日時が変更されていないか排他チェックをし、変更されていない場合には、ステップＳ６６でデータを再読み込みして画面を再表示し、ステップＳ５１に戻る。変更されている場合には、搗精日報入力工程（ステップ）であるステップＳ６７で上記ステップによって作成された更新情報（入力内容）について、必須項目チェック、マスタ存在チェック、調製日チェック、妥当性チェック、引当可否チェックをして、入力内容の整合性がとれているか否かを判断し、整合性がとれていない場合は、ステップＳ５１に戻るので、入力者は、前工程に戻って入力情報を再チェックし、齟齬があれば、更新することができる。以下の工程においても、入力内容に不整合が取れていないと判断され、初期画面に戻った場合は、同様にして処理することができる。整合性がとれている場合は、ステップＳ６８で搗精日報基本テーブル、搗精玄米テーブル、張込指図書基本テーブル（繰越元データの登録）、搗精繰越白米テーブル、搗精日報基本テーブル（繰越元データの登録）のデータの更新を行う。ステップＳ６９で印刷指定画面を表示し、ステップＳ７０で出力対象（全工程、張込指図書、搗精日報、送米日報、包装日報）を選択し、ステップＳ７１で印刷を指示する。ステップＳ７２で選択した帳票を印刷し、ステップＳ７３で搗精日報一���画面を表示して処理を終了する。
【００３６】
図６に示す選別工程に関する生産管理処理は、まず、ステップＳ８１で送米日報入力画面を表示し、ステップＳ８２、Ｓ８３、Ｓ８４で、担当者マスタテーブル５０のデータを利用して送米担当者を指定する。ステップＳ８５でグレードＮｏ．を入力して、ステップＳ８６でグレードマスタテーブル５１のデータを利用してグレード名を表示する。ステップＳ８７で送米日を入力し（新規作成時は当日日付を表示）、ステップＳ８８で白米タンク−パッカータンク送米明細情報として搗精日報Ｎｏ．を入力し、ステップＳ８９で搗精日報基本テーブル（データベース）２２ａのデータを利用して白米タンク−パッカータンク送米明細のデータを画面表示する。ステップＳ９０で白米タンク−パッカータンク送米明細情報として（無洗米・ＰＴＫ）送米重量（通常精米はＰＴＫ送米重量、無洗米であれば無洗米送米重量）を入力する。ステップＳ９１で白米タンク−パッカータンク送米明細情報としてＨＴＫ残重量（送米前ＨＴＫ残重量−送米重量）を表示する（送米重量の入力により自動計算）。ステップＳ９２、Ｓ９３、Ｓ９４で担当者マスタテーブル５０のデータを利用して商品投入担当者を指定する。ステップＳ９５で商品コード又は包装ロットＮｏ．を入力し、ステップＳ９６で製品在庫テーブル（データベース）２５のデータを利用して商品投入明細データを画面表示し、ステップＳ９７で商品投入明細のデータとして商品の本数を入力し、ステップＳ９８で合計重量（本数×包装規格重量）を計算し、その結果を画面表示し、ステップＳ９９で明細行の合計重量として上記合計重量を画面表示する。ステップＳ１００でＰＴＫＮｏ．を入力し、ステップＳ１０１で送米日報情報として送米合計重量（送米明細情報の合計と投入明細情報の合計重量の合計）を画面表示する。ステップＳ１０２で登録ボタンを押し、ステップＳ１０３で確認メッセージを画面表示し、ステップＳ１０４で処理を継続するか否かを選択し、ステップＳ１０５で処置を継続するか否かを指示し、継続しない場合には、ステップＳ８１に戻り、継続する場合には、送米日報入力工程（ステップ）における更新情報確認工程（ステップ）であるステップＳ１０６で上記ステップによって作成された更新情報（入力内容）について、必須項目チェック、マスタ存在チェック、日付整合性チェック、調製日チェック、引当可否チェックをして、入力内容の整合性がとれているか否かを判断し、整合性がとれていない場合は、ステップＳ８１に戻り、整合性がとれている場合は、ステップＳ１０７で送米日報Ｎｏ．を採番し、精米日決定工程（ステップ）であるステップＳ１０８で送米の明細の白米タンクの精米日と商品投入明細の商品の精米日のうち最も古い日時を精米日として決定する。但し、上述したように、単一白米を使用するときは、ステップＳ５４で表示された搗精日が製品の精米日である。そして、ステップＳ１０９で張込指図書基本テーブル、送米日報基本テーブル、送米白米テーブル、搗精日報基本テーブル（送米使用）、製品戻りテーブル、製品在庫テーブル、製品戻り出力テーブルのデータの更新を行う。ステップＳ１１０で印刷指定画面を表示し、ステップＳ１１１で出力対象（全工程、張込指図書、搗精日報、送米日報、包装日���）を選択し、ステップＳ１１２で印刷を指示する。ステップＳ１１３で包装日報基本テーブルのデータを更新して次工程以降のデータを作成する。ステップＳ１１４で選択した帳票を印刷し、ステップＳ１１５で続けて入力（処理）を行うかの確認メッセージを表示し、ステップＳ１１６で続けて入力を行うか否かを選択し、ステップＳ１１７で続けて入力を行うか否かを指示し、続けて入力を行う場合は、ステップＳ８１に戻り、続けて入力を行わない場合は、ステップＳ１１８でメニュー画面を表示して処理を終了する。
【００３７】
図７に示す包装工程に関する生産管理処理は、まず、ステップＳ１２１で包装日報入力画面を表示し、ステップＳ１２２、Ｓ１２３、Ｓ１２４で、担当者マスタテーブル２８のデータを利用して包装確認担当者を指定する。ステップＳ１２５でグレードＮｏ．を入力して、ステップＳ１２６でグレードマスタテーブル２９のデータを利用してグレード名を表示する。ステップＳ１２７で包装日を入力（新規作成時は当日日付を表示）し、ステップＳ１２８で送米日報Ｎｏ．を表示（張込指図書、送米日報より作成した場合は送米日報Ｎｏ．を表示）し、ステップＳ１２９で送米合計重量を表示（張込指図書、送米日報より作成した場合は送米合計重量を表示）する。ステップＳ１３０で包装日報Ｎｏ．を入力し、ステップＳ１３１で包装日報基本テーブル（データベース）２４ａのパッカータンク白米残のデータを表示し、ステップＳ１３２でパッカータンク白米残のＰＴＫ送米重量の合計を表示する。ステップＳ１３３でパッカータンクＮｏ．、パッカーＮｏ．を入力し、ステップＳ１３４で包装開始白米重量を表示する。ステップＳ１３５で商品コードＮｏ．を入力し、ステップＳ１３６で商品マスタデータベース５４の包装商品明細のデータを表示し、ステップＳ１３７で包装商品明細情報として本数を入力し、ステップＳ１３８で袋数、包装出来高重量、残重量を画面表示する。ステップＳ１３９で減耗を表示（完了指示をした段階で表示）し、ステップＳ１４０で商品コード又は包装ロットＮｏ．を入力し、ステップＳ１４１で製品在庫テーブル（データベース）２５のデータを利用して商品再パック明細データを画面表示し、ステップＳ１４２で商品再パック明細のデータとして商品の本数を入力し、ステップＳ１４３で合計重量（本数×包装規格重量）を計算し、その結果を画面表示する。ステップＳ１４４で明細行の合計重量として上記合計重量を表示する。ステップＳ１４５で登録ボタンを押し、ステップＳ１４６で処理を続行するか否かの確認メッセージを画面表示し、ステップＳ１４７で処理を継続するか否かを選択し、ステップＳ１４８で処置を継続するか否かを指示し、継続しない場合には、ステップＳ１２１に戻り、継続する場合には、包装日報入力工程（ステップ）における更新情報確認工程であるステップＳ１４９で上記ステップによって作成された更新情報（入力内容）について、必須項目チェック、マスタ存在チェック、日付整合性チェック、パッカーＮｏ．チェック、繰越ＰＴＫ番号チェック、調製日チェック、包装商品明細−包装ロットＮｏ．チェック、包装商品明細−本数チェック、減耗重量チェック、引当可否チェックをして、入力内容の整合性がとれているか否かを判断し、整合性がとれていない場合は、ステップＳ１２１に戻り、整合性がとれている場合は、ステップＳ１５０で包装日報Ｎｏ．を採番し、ステップＳ１５１で包装商品明細−包装ロットＮｏ．が空の場合、包装ロットＮｏ．を採番する。ステップＳ１５２で張込指図書基本テーブル、包装日報基本テーブル、送米日報基本テーブル（包装使用）、包装白米テーブル、包装日報基本テーブル（包装使用）、包装製品明細テーブル、製品在庫テーブル（出来高）、製品戻りテーブル、製品在庫テーブル（製品戻り使用）���製品戻り出力テーブル、送米白米テーブル、製品戻りテーブル（送米）のデータの更新を行う。ステップＳ１５３で印刷指定画面を表示し、ステップＳ１５４で出力対象（全工程、張込指図書、搗精日報、送米日報、包装日報）を選択し、ステップＳ１５５で印刷を指示する。ステップＳ１５６で選択した帳票を印刷し、ステップＳ１５７で続けて入力（処理）を行うかの確認メッセージを表示し、ステップＳ１５８で続けて入力を行うか否かを選択し、ステップＳ１５９で続けて入力を行うか否かを指示し、続けて入力を行う場合は、ステップＳ１２１に戻り、続けて入力を行わない場合は、ステップＳ１６０でメニュー画面を表示して処理を終了する。
【００３８】
図８に示す製品入庫工程に関する生産管理処理は、まず、ステップＳ１７１で処理区分マスタデータベース５５を利用して画面起動モードに対応する処理区分を取得し、ステップＳ１７２により製品入庫日報入力画面を表示し、ステップＳ１７３で製品入庫日を入力し、ステップＳ１７４で商品コード又は包装ロットＮｏ．を入力し、ステップＳ１７５で製品在庫テーブル（データベース）２５のデータを利用して製品入庫明細データを画面表示し、ステップＳ１７６で製品の本数を入力し、ステップＳ１７７で合計重量（本数×包装規格重量）を計算し、その結果を画面表示する。ステップＳ１７８で上記計算結果を製品入庫明細情報として袋数、重量の項に表示する。ステップＳ１７９で登録ボタンを押し、ステップＳ１８０で処理を続行するか否かの確認メッセージを画面表示し、ステップＳ１８１で処理を継続するか否かを選択し、ステップＳ１８２で処置を継続するか否かを指示し、継続しない場合には、ステップＳ１７２に戻り、継続する場合には、ステップＳ１８３で製品入出庫基本テーブル（データベース）２６ａのデータを利用して入力した入庫日のデータが存在しないか否か排他チェックし、入庫日のデータが存在する場合は、ステップＳ１７２に戻り、入庫日のデータが存在しない場合には、製品入庫日報入力工程（ステップ）の更新情報確認工程（ステップ）であるステップＳ１８４で上記ステップによって作成された更新情報（入力内容）について、必須項目チェック、マスタ存在チェック、データ存在チェック、日付整合性チェックをして、入力内容の整合性がとれているか否かを判断し、整合性がとれていない場合は、ステップＳ１７２に戻り、整合性がとれている場合は、ステップＳ１８５で製品入出庫Ｎｏ．を採番し、ステップＳ１８６で製品入出庫基本テーブル、製品入出庫明細テーブル、製品在庫テーブル、製品入出庫ロット明細テーブル、製品入出庫出力テーブルのデータの更新を行う。ステップＳ１８７で印刷処理を行い、ステップＳ１８８でメニュー画面を表示して処理を終了する。
【００３９】
図９に示す製品出庫工程に関する生産管理処理は、まず、ステップＳ１９１で処理区分マスタデータベース５５を利用して画面起動モードに対応する処理区分を取得し、ステップＳ１９２により製品出庫日報入力画面を表示し、ステップＳ１９３で製品出庫日を入力し、ステップＳ１９４で商品コード又は包装ロットＮｏ．を入力し、ステップＳ１９５で製品在庫テーブル（データベース）２５のデータを利用して製品出庫明細データを画面表示し、ステップＳ１９６で製品の本数を入力し、ステップＳ１９７で本数÷包装入数の商（整数）を計算（袋数）し、本数×包装規格重量の積を計算（重量）する。ステップＳ１９８で上記計算結果を製品出庫明細情報として袋数、重量の項に表示する。ステップＳ１９９で登録ボタンを押し、ステップＳ２００で処理を続行するか否かの確認メッセージを画面表示し、ステップＳ２０１で処理を継続するか否かを選択し、ステップＳ２０２で処置を継続するか否かを指示し、継続しない場合には、ステップＳ１９２に戻り、継続する場合には、ステップＳ２０３で製品入出庫基本テーブル（データベース）２６ａのデータを利用して入力した出庫日のデータが存在しないか否か排他チェックし、出庫日のデータが存在する場合は、ステップＳ１９２に戻り、出庫日のデータが存在しない場合には、製品出庫日報入力工程（ステップ）の更新情報確認工程であるステップＳ２０４で上記ステップによって作成された更新情報（入力内容）について、必須項目チェック、マスタ存在チェック、データ存在チェック、日付整合性チェックをして、入力内容の整合性がとれているか否かを判断し、整合性がとれていない場合は、ステップＳ１９２に戻り、整合性がとれている場合は、ステップＳ２０５で製品入出庫Ｎｏ．を採番し、ステップＳ２０６で製品入出庫基本テーブル、製品入出庫明細テーブル、製品在庫テーブル、製品入出庫ロット明細テーブル、製品入出庫出力テーブルのデータの更新を行う。ステップＳ２０７で印刷処理を行い、ステップＳ２０８でメニュー画面を表示して処理を終了する。
【００４０】
図１０示す製品振替工程に関する生産管理処理は、まず、ステップＳ２１１で処理区分マスタデータベース５５を利用して画面起動モードに対応する処理区分を取得し、処理区分を入力不可にする。ステップＳ２１２により製品振替日報入力画面を表示し、ステップＳ２１３で製品振替日を入力し、ステップＳ２１４で商品コード又は包装ロットＮｏ．を入力し、ステップＳ２１５で製品在庫テーブル（データベース）２５のデータを利用して製品振替明細データを画面表示し、ステップＳ２１６で基となる製品の本数を入力し、ステップＳ２１７で本数÷包装入数の商（整数）を計算（袋数）し、本数×包装規格重量の積を計算（重量）する。ステップＳ２１８で上記計算結果を製品振替明細情報として袋数、重量の項に表示する。ステップＳ１２９で登録ボタンを押し、ステップＳ２２０で処理を続行するか否かの確認メッセージを画面表示し、ステップＳ２２１で処理を継続するか否かを選択し、ステップＳ２２２で処置を継続するか否かを指示し、継続しない場合には、ステップＳ２１２に戻り、継続する場合には、ステップＳ２２３で製品入出庫基本テーブル（データベース）２６ａのデータを利用して入力した振替日のデータが存在しないか否か排他チェックし、振替日のデータが存在する場合は、ステップＳ１９２に戻り、振替日のデータが存在しない場合には、製品振替日報入力工程（ステップ）の更新情報確認工程（ステップ）であるステップＳ２２４で上記ステップによって作成された更新情報（入力内容）について、必須項目チェック、マスタ存在チェック、データ存在チェック、日付整合性チェックをして、入力内容の整合性がとれているか否かを判断し、整合性がとれていない場合は、ステップＳ２１２に戻り、整合性がとれている場合は、ステップＳ２２５で製品入出庫Ｎｏ．を採番し、ステップＳ２２６で製品入出庫基本テーブル、製品入出庫明細テーブル、製品在庫テーブル、製品入出庫ロット明細テーブル、製品入出庫出力テーブルのデータの更新を行う。ステップＳ２２７で印刷処理を行い、ステップＳ２２８でメニュー画面を表示して処理を終了する。
【００４１】
図１１に示す米袋への印字内容登録処理は、まず、ステップＳ２３１で印字内容（計画）入力画面を表示し、ステップＳ２３２で画面内の初期値セットをし、ステップＳ２３３で包装日報Ｎｏ．を入力する。ステップＳ２３４で包装日報基本テーブル（データベース）２４ａのデータを利用して包装日報基本テーブルに上記包装日報Ｎｏ．が存在するか否かを判断し、存在しない場合には、ステップＳ２３３に戻り、存在する場合には、ステップＳ２３５で包装日報基本テーブル（データベース）２４ａのデータの精米、調整、包装年月日、パッカーＮｏ．を画面表示する。ステップＳ２３６で商品コードを入力し、ステップＳ２３７で商品マスタデータベース５４を利用して、商品マスタデータベースに上記商品コードが存在するか否かを判断し、存在しない場合には、ステップＳ２３６に戻り、存在する場合には、ステップＳ２３８で商品マスタデータベース５４を利用して商品名、規格、入数、印字形式を画面表示し、ステップＳ２３９で計画本数を入力し、ステップＳ２４０で本数÷入数の商（整数）を計算し、ステップＳ２４１で計算結果を計画袋数の項に表示する。ステップＳ２４２で計画担当者ＩＤを入力し、ステップＳ２４３で社員マスタデータベース５６を利用して、社員マスタデータベースに上記計画担当者ＩＤが存在するか否か判断し、存在しない場合は、ステップＳ２４２に戻り、存在する場合は、ステップＳ２４４で社員マスタデータベース５６のデータを利用して、担当者を表示し、ステップＳ２４５で担当者名を登録し、印字情報作成工程（ステップ）における入力情報確認工程（ステップ）であるステップＳ２４６で上記ステップによって作成された印字計画情報（入力内容）について、包装日報Ｎｏ．チェック、パッカーＮｏ．未入力チェック、商品コード未入力チェック、商品コードに付随するグレードと包装日報Ｎｏ．に付随するグレード相違チェック、計画本数未入力チェック、印字形式未入力チェック、計画担当者未入力チェック、印字形式と精米、調製、包装年月日などの必須チェックをして、入力内容の整合性がとれているか否かを判断し、整合性がとれていない場合は、ステップＳ２４５に戻り、整合性がとれている場合は、ステップＳ２４７で印字機基本テーブルにデータを登録し、ステップＳ２４８で計画一覧画面にデータを追加表示し、ステップＳ２３１に戻って処理を終了する。
【００４２】
図１２に示す印字機への指示及び商品在庫表の印字処理は、まず、ステップＳ２５１で印字計画一覧画面を表示し、ステップＳ２５２で社員マスタデータベース５６、印字機基本テーブル（データベース）５７のデータを利用して印字内容計画データをセットし、ステップＳ２５３で送信ボタンを押し、ステップＳ２５４で選択印字形式より米袋印字イメージを作成し、ステップＳ２５５で米袋イメージを画面に表示する。ステップＳ２５６で米袋印字イメージを印字機に送信するか否か選択し、送信しない場合は、ステップＳ２５１に戻り、送信する場合は、ステップＳ２５７で社員マスタデータベース５６を利用して包装担当者選択画面を表示し、ステップＳ２５８で包装担当者ＩＤを入力し、ステップ２５９で社員マスタデータベース５６に上記包装担当者ＩＤが存在するか否か判断し、存在しない場合には、ステップＳ２５８に戻り、存在する場合には、ステップＳ２６０で社員マスタデータベース５６を利用して包装担当者名を表示する。ステップＳ２６１で印字機への印字指示（ＣＯＭポートのチェック等を行う。印字シーケンス詳細は省略した）を行い、ステップＳ２６２で印字機への送信データの送信を行う。ステップＳ２６３で送信データに対する印字機からの返信が正常か否かを判断して、正常でない場合は、ステップＳ２５１に戻り、正常な場合は、ステップＳ２６４で包装ロット番号を採番し、印字機基本テーブルに登録する。ステップＳ２６５で印字機への印字内容データ送信を行い、ステップＳ２６６で送信データに対する印字機からの返信が正常か否かを判断して、正常でない場合は、ステップＳ２５１に戻り、正常な場合は、ステップＳ２６７で送信ボタンを実行ボタンとして再表示し、ステップＳ２６８で商品在庫表を印刷し、ステップＳ２６９で米袋印字作業を実行させ、ステップＳ２７０で米袋印字作業を終了し、ステップＳ２７１で実行ボタンを押し、ステップＳ２７２で包装本数（実績）を入力する。ステップＳ２７３で印字機への印字作業状況要求データを送信し、ステップＳ２７４で要求データに対する印字機からの返信が正常か否か判断し、正常でない場合は、ステップＳ２７３に戻り、正常であれば、ステップＳ２７５で印字機からの使用米袋枚数を印字機基本テーブルに登録し、包装ロス枚数を計算し、登録する。ステップＳ２７６で使用米袋枚数、包装ロス枚数を画面に再表示し、実行ボタンを実績ボタンとして再表示して、完了ボタンを表示して処理を終了する。
【００４３】
なお、この精米生産管理システムにおいては、各工程の管理情報の更新のみならず、後述するように、各管理情報を張込指図書の一覧、搗精日報の一覧、送米日報の一覧、包装日報の一覧、製品入庫日報の一覧、製品出庫日報の一覧、製品振替日報の一覧として表示する機能も備えるが、このように一覧表示する機能は、公知の手段によって付加することができる。また、後述するように、トレース表（月間受払表、ロットトレース表）の作成（出力）、管理者の管理機能、帳票、マスタメンテの機能を備えてもよく、このような機能も公知の手段によって付加することができる。特に、ロットトレース表を作成することによって、精米製品の正確な精米玄米の履歴などを容易に把握することができる。また、紙出力としては、張込指図書、搗精日報、送米日報、包装日報、張込確認で張込実績ＣＳＶ、出来高出力で出来高ＣＳＶ、製品入庫日報、製品出庫日報、製品振替日報、製品入出庫ＣＳＶとして出力することができる。
【００４４】
次に、本発明の精米生産管理システム、生産管理方法、生産管理プログラムを、上記処理を実際に行うクライアントコンピュータに基づいて、以下説明する。図１３は、精米生産管理情報の送受信手段であるコンピュータネットワークを構成するコンピュータシステムを示すシステム図である。このネットワークは、玄米仕入先３０の既存の仕入れ・物流管理システムをインストールしたコンピュータ３１、本社３２のサーバマシン３３、精米生産管理を行う本社、各工場（クライアント）３４−１〜３４−ｎのクライアントマシン(コンピュータ)３５−１（図１３では、３４−１のマシンのみを示す）、印字機シーケンサ３６とつながる本社、各工場（クライアント）３７については印字機シーケンサ３６につながったクライアントコンピュータ３８を例示した。これらのコンピュータは、イントラネットなどの通信網３９を介して互いに接続されている。そして、データ入力に際しては、既存の仕入・物流管理システムのデータベース４０に格納された情報をサーバコンピュータ３３が取得し、そのデータベース４１に保持し、クライアントコンピュータ３５−１〜３５−ｎでの入力に利用する。また、印字機シーケンサ３６につながったクライアントコンピュータ３８の場合、クライアントコンピュータ３８から印字機シーケンサ３６に情報が伝達される。なお、図において、印字機シーケンサ３６以降の装置は、省略した。ここで、図１３では、本社、各工場のクライアントコンピュータとして、各一台のクライアントコンピュータを示したが、上述したように、本発明の場合、各入力工程ごとに１台ずつクライアントコンピュータが備えられ、更に、必要に応じて、管理コンピュータとしてもう１台のクライアントコンピュータが備えられ、これらのクライアントコンピュータがネットワークで接続されていると、より好適である。
【００４５】
図１４は、本発明の精米生産管理システムのプログラムをインストールしたクライアントコンピュータの生産管理システムのメインメニュー画面５０を示すものである。このメインメニュー画面５０は、生産管理システムにログインする画面（図示せず）において入力されたユーザＩＤ及びパスワードにより、ユーザ認証が行われ、ユーザが認証された場合に表示されるものである。各ボタンの押下により、それぞれの処理の画面が表示される。各ボタンの押下時の処理は、以下の通りである。
【００４６】
張込指図書５２の新規ボタン５２ａを押し下げると、張込指図書の新規入力画面が表示され、新たな張込指図書を作成することができる。一覧ボタン５２ｂを押し下げると、張込指図書の一覧画面が表示され、作成済みの張込指図書の修正、確認、印刷を行うことができる。実績出力ボタン５２ｃを押し下げると、張込実績データのＣＳＶ出力及び既存の仕入れ・物流システムへの送信を行うことができる。
【００４７】
とう精日報５３の一覧ボタン５３ａを押し下げると、搗精日報の一覧画面が表示され、搗精日報の修正、参照、印刷を行うことができ、送米日報５４の一覧ボタン５４ａを押し下げると、送米日報の一覧画面が表示され、送米日報の修正、参照、印刷を行うことができる。新規ボタン５４ｂを押し下げると、送米日報の新規入力画面が表示され、新たな送米日報を作成することができる。包装日報５５の一覧ボタン５５ａを押し下げると、包装日報の一覧画面が表示され、包装日報の修正、参照、印刷を行うことができ、新規ボタン５５ｂを押し下げると、包装日報の新規入力画面が表示され、新たな包装日報を作成することができる。
【００４８】
製品入出庫日報５６の入庫５７の新規ボタン５７ａを押し下げると、製品入庫日報の新規入力画面が表示され、新たな製品入庫日報を作成することができる。一覧ボタン５７ｂを押し下げると、製品入庫日報の一覧画面が表示され、製品入庫日報の修正、参照、印刷を行うことができる。製品入出庫日報５６の出庫５８の新規ボタン５８ａを押し下げると、製品出庫日報の新規入力画面が表示され、新たな製品出庫日報を作成することができる。一覧ボタン５８ｂを押し下げると、製品出庫日報の一覧画面が表示され、製品出庫日報の修正、参照、印刷を行うことができる。製品入出庫日報５６の振替５９の新規ボタン５９ａを押し下げると、製品振替日報の新規入力画面が表示され、新たな製品振替日報を作成することができる。一覧ボタン５９ｂを押し下げると、製品振替日報の一覧画面が表示され、製品振替日報の修正、参照、印刷を行うことができる。印字機連携６０の印字機連携ボタン６０ａを押し下げると、包装計画・実績及び米袋印字画面が表示される。
【００４９】
また、このシステムの場合、トレース表６１の月間受払表ボタン６１ａを押し下げると、月間受払表の出力条件指定画面が表示され、ロットトレースボタン６１ｂを押し下げると、ロットトレース表の出力条件指定画面が表示される。管理機能６２のメニューボタン６２を押し下げると、管理者メニューの実行画面が表示され、ログインユーザが管理書である場合にだけ、使用することができる帳票・他６３のメニューボタン６３ａを押し下げると、帳票・マスタメンテのメニュー画面が表示される。
【００５０】
張込指図書一覧画面では、張込指図書Ｎｏ．、グレードＮｏ．、グレード名、張込日、実残重量、確認チェックボックスなどが表示され、張込指図情報の絞込み、張込指図書の確認処理、張込指図書の印刷、張込指図書入力画面への遷移を行うことができ、後述する張込指図書入力画面においては、張込玄米明細は、本社で管理している玄米在庫データを参照し、関連付けを行っている。また、受託玄米という区分を持ち、自社管理品以外のものも管理可能になっている。繰越玄米明細は、繰越をする指図書の番号を指定する事で、繰越元の管理を可能としている。商品玄米張込明細に入力する工程戻り商品の明細は、対象のロット番号を指定する事で、商品在庫の工程戻し元の管理を可能としている。同時に、商品在庫保有数の引落し処理を行う。張込内容の登録及び印刷機能を有する。張込指図書を作成するタイミングで、採番される指図書番号を次工程以降の処理に引き継ぎ管理することができる。
【００５１】
とう精日報一覧画面では、搗精日報Ｎｏ．、グレードＮｏ．、グレード名、張込日、搗精日、実残重量などが表示され、搗精日報情報の絞込み、搗精日報の印刷、搗精日報入力画面への遷移を行うことができ、後述するとう精日報入力画面では、工場表示制御マスタには、工場毎に搗精明細の項目の入力有無を保有し、原料明細は、対象の張込指図書番号を指定することで、前工程（張込）との関連付けを行っている。また、前工程（張込）の払出完了処理を行うことができる。繰越白米明細は、繰越をする搗精日報の番号を指定することで、繰越元の管理を可能としている。搗精内容の登録及び印刷機能を有する。搗精工程の完了処理を行うことができる。
【００５２】
送米日報一覧画面では、送米日報Ｎｏ．、グレードＮｏ．、グレード名、送米日、実残重量などが表示され、送米日報情報の絞込み、送米日報の印刷、送米日報入力画面への遷移を行うことができる。後述する送米日報入力画面では、送米明細は、対象の搗精日報番号を指定することで、前工程（搗精）との関連付けを行っている。また、前工程（搗精）の払出完了処理を行うことができる。商品投入明細に入力する工程戻り商品の明細は、対象のロット番号を指定することで、商品在庫の工程戻し元の管理を可能としている。同時に、商品在庫保有数の引落し処理を行うことができる。無洗米工程の有無を指定することが可能である。送米内容の登録及び印刷機能を有する。
【００５３】
包装日報一覧画面では、包装日報Ｎｏ．、グレードＮｏ．、グレード名、包装日、実残重量などが表示され、包装日報情報の絞込み、包装日報の印刷、包装日報入力画面への遷移を行うことができる。後述する包装日報入力画面では、送米日報番号を指定することで、前工程（送米）との関連付けを行っている。パッカータンク白米残明細は、繰越をする包装日報の番号を指定することで、繰越元の管理を可能としている。商品再パック明細に入力する工程戻り商品の明細は、対象のロット番号を指定することで、商品在庫の工程戻し元の管理を可能としている。同時に、商品在庫保有数の引落し処理を行うことができる。包装商品明細は、包装商品の実績管理を可能としている。同時に、商品在庫保有数の増加処理を行うことができる。包装内容の登録及び印刷機能を有する。
【００５４】
製品入庫日報一覧画面では、処理区分、包装ロットＮｏ．、商品コード、商品名、重量、製品入庫日などが表示され、製品入庫情報の絞込み、製品入庫日報の印刷、製品入庫日報入力画面への遷移を行うことができ、後述する製品入庫日報入力画面では、入庫製品の実績管理を可能としている。同時に、製品在庫保有数の増加処理を行うことができる。製品入庫内容の登録及び印刷機能を有する。製品出庫日報一覧画面では、処理区分、包装ロットＮｏ．、商品コード、商品名、重量、製品出庫日などが表示され、製品出庫情報の絞込み、製品出庫日報の印刷、製品出庫日報入力画面への遷移を行うことができ、後述する製品出庫日報入力画面では、出庫製品の実績管理を可能としている。同時に、製品在庫保有数の引落し処理を行うことができる。製品出庫内容の登録及び印刷機能を有する。製品振替日報一覧画面では、処理区分、包装ロットＮｏ．、商品コード、商品名、重量、製品振替日などが表示され、製品振替情報の絞込み、製品振替日報の印刷、製品振替日報入力画面への遷移を行うことができ、後述する製品振替日報入力画面では、通常商品の日切れ商品への振替の実績管理を可能としている。同時に、通常商品在庫保有数の引落し処理、日切れ商品在庫保有数の増加処理を行うことができる。製品振替内容の登録及び印刷機能を有する。
【００５５】
後述する包装計画・実績及び米袋印字画面（印字機連携システム画面）では、米袋への印字内容登録（修正／削除機能を含む）をすることができる。商品マスタテーブルには、商品に一般的に使用する印字形式を保有する。印字形式マスタテーブルには、各印字パターンに必要な印字内容及び登録時の必須項目内容を保有する。印字内容は、包装日報の内容を元に作成することができる。また、印字機への印字指示を行うことができ、印字指示端末（ＰＣ）と印字機間で、仮想ＣＯＭポートを使用した通信制御を行う。製造を行った米袋の商品在庫表の印字をすることができる。製造実績（米袋数）の内容を登録することができる。
【００５６】
本発明の精米生産管理システムのプログラムをインストールしたクライアントコンピュータにおいて各帳票情報、管理情報の更新を行うための具体的な操作を図１５〜２２に示す各入力画面に基づき、以下説明する。図１５は、本発明の張込指図書入力工程を実行する張込指図書入力画面の一例を示す張込指図書入力画面１００の概略図であり、張込指図書の新規作成、修正、参照、削除に使用する。まず、張込指図書を新規に作成するには、図１４に示すメインメニュー［張込指図書−新規］ボタン５２ａを押下すると、張込指図書の新規作成画面（張込指図書入力画面）１００が表示される。必要な項目を入力して登録を行う。登録すると、張込指図書Ｎｏ．が自動採番される。また、張込指図書を修正するには、図示しない張込指図書一覧画面で［実行（Ｆ５）］ボタンまたは［修正（Ｆ６）］ボタンを押下すると、指定した張込指図書の修正画面が表示される。必要な項目を修正して登録を行う。張込確認済または締済のものは修正できず、参照のみとなる。張込指図書を削除するには、修正の場合と同様にして修正画面を表示し、［削除（Ｆ９）］ボタンを押下することにより、張込指図書を削除することができるが、同一Ｎｏ．の搗精日報、送米日報、包装日報のいずれかが登録されている場合、他の張込指図書で繰越使用されている場合、他の搗精日報の原料明細で使用されている場合には、削除ボタンが表示されず、削除することができない。
【００５７】
項目内容については、［張込指図書Ｎｏ］１０１は、修正、参照の場合は、張込指図書Ｎｏ．が表示される。新規作成の場合は空で表示され、登録時に自動採番される。［担当者］１０２は入力必須の項目であり、担当者を指定する。［担当者］ボタン１０２を押下すると、図示しない担当者検索画面が表示される。ログイン工場に所属する社員名一覧が表示される。一覧から担当者を選択し、［選択（Ｅｎｔｅｒ）］ボタンまたはＥｎｔｅｒキーを押下すると、ユーザＩＤと名前が画面に表示される。ユーザＩＤを手入力することも可能である。ユーザＩＤを入力すると名前が表示される。終了ボタンを押し、張込指図入力を終了するまで担当者は保持される。［張込指図確認］１０３は、張込指図確認者を指定する。指定方法は［担当者］と同様である。［グレードＮｏ］１０４は、入力必須項目であり、グレードＮｏ．を入力する。入力すると［グレード名］１０５が表示される。［張込日］１０６は入力必須であり、張込日を入力する。新規作成時は、当日日付が表示されている。張込日は運用日付の前後２日以内を指定する。［調製日］１０７には、商品玄米張込明細の下の調製日が表示される。［玄米張込担当］１０８は入力必須であり、玄米張込担当者を指定する。指定方法は［担当者］と同様である。
【００５８】
次に、［玄米張込明細］１０９には玄米張込情報を入力する。明細項目の入力について説明すると、［仕入ロット］１１０を入力すると、以下の項目に仕入れ・物流管理システムから取得した玄米在庫情報（年産、産地、地区、銘柄、等級、農協、農法、制度、ユーザ名、包装、入荷日など）が表示される。［ユーザ名］１１１は入力することも可能である。既にユーザ名が入力してある場合は、仕入ロットを入力しても自動的に書き換わることはない。［倉庫］１１２にはログイン工場で使用できる倉庫コードがリスト表示されるので選択できる。最終行に入力すると、空行が下に追加される。［数量］１１３を入力すると、［本数］１１４、［重量］１１５が、［本数］＝［数量］×６０÷［包装単重］、［重量］＝［数量］×６０として自動計算される。また、明細下の［玄米張込重量合計］１１６に明細全行の合計重量が表示される。［繰越玄米］１１７には、繰越玄米情報を入力する。明細項目の入力について説明すると、［張込指図書Ｎｏ］１１８を入力すると、ＧＴＫ、グレードＮｏ．、グレード名、張込日、繰越玄米重量（繰越玄米重量には、指定した張込指図書の残重量が自動表示される。手入力も可能である。）の項目に指定した張込指図書の情報が表示される。［商品投入担当］１１９では、商品投入担当者を指定する。指定方法は［担当者］と同様である。［商品玄米張込明細］１２０に入力がある場合は必須となる。［商品玄米張込明細］１２０には商品玄米張込情報を入力する。明細項目の入力について説明すると、使用した商品の包装ロットＮｏ．が分かっている場合は、［包装ロットＮｏ］１２１を入力する。指定した包装ロットＮｏ．の在庫が登録されていれば、商品コード、商品名、規格、搗精日、調製日の項目に在庫ロット情報が表示される。使用した商品の包装ロットＮｏ．が分からない場合は、［商品コード］１２２を入力すると、商品名、規格の項目に指定した商品情報が表示される。最終行に入力すると、空行が下に追加される。［本数］１２３を入力すると、［合計重量］１２４が自動計算（［合計重量］＝［規格］×［本数］）される。また、明細下の［合計重量］１２５に明細全行の合計重量が表示される。明細下項目の入力について説明すると、［調製日］１２６は手入力可能である。また、［調製日］１２６内にカーソルを置き、Ｆ４キーを押下、［調製日］１２６を削除し、Ｔａｂキーまたはマウスクリックで他の項目に移動することで、自動表示することもできる。自動表示を行うと、明細の［とう精日］１２７、［調製日］１２８中で一番古いものが表示される。［玄米タンク番号］１２９は入力必須である。［張込玄米重量合計］１３０は、［張込玄米明細］１０９下の［玄米張込重量合計］１１６と［商品玄米張込明細］１２０下の［合計重量］１２５の和が表示される。手入力も可能であるが、［張込玄米明細］１０９や［商品玄米張込明細］１２０を修正すると、計算値に書き換わるので注意を要する。［繰越玄米重量］１３１：［繰越玄米］１１７の［繰越玄米重量］１３２、［商品張込戻重量］１３３：［商品玄米張込明細］１２０下の［合計重量］１２５、［張込合計重量］１３４：［張込玄米重量合計］１３０、［繰越玄米重量］１３１、［商品張込���重量］１３３の和、［使用重量］１３５：搗精日報や他の張込指図書で繰越使用されている重量、［玄米タンク残重量］１３６：［張込合計重量］１３４−［使用重量］１３５は、全て表示のみとなる。
【００５９】
張込玄米明細の再表示を行うには、［再表示（Ｆ６）］１３７ボタンを押下すると、［張込玄米明細］１０９に入力済の玄米在庫情報を、再度、仕入れ・物流管理システムから取得し直して表示される。［ユーザ名］１１１が、既に入力してある場合は、再表示を行っても自動的に書き換わることはない。入力したものをクリアするには、［キャンセル（Ｆ８）］ボタン１３８を押下すると、最初に画面を表示したときの情報が表示される。必要な項目を入力したら、［登録（Ｆ５）］１３９ボタンを押下して、張込指図書の登録を行う。張込指図書を開いてから登録ボタン押下までの間に他で更新された場合は画面を再表示する。その際、修正した値は登録されないので注意を要する。入力必須項目が未入力の場合は、エラーメッセージが表示されるので、入力する。また、［張込玄米明細］１０９で指定した数量が玄米在庫の残数より多い場合、［繰越玄米］１１７で指定した繰越玄米重量が、指定した張込指図書の残重量より多い場合、［商品玄米張込明細］１２０で指定した本数が、在庫の残本数より多い場合、［商品玄米張込明細］１２０に１行も入力していない場合に、［調製日］１０７の入力がある場合もエラーメッセージが表示されるので、値の修正をする。登録が完了すると印刷指定画面が表示される。図示しない印刷指定画面において、新規作成の場合は、全工程の日報にチェックがついた状態で表示される。張込指図書、搗精日報、送米日報、包装日報が必要な場合は、チェックを付ける。印刷を行わないと、搗精日報、送米日報、包装日報は作成されない。修正の場合は、張込指図書のみにチェックがついた状態で表示される。その他の日報を印刷したい場合は、チェックをつける。［印刷（Ｆ７）］ボタンを押下すると、チェックがついた帳票が印刷される。印刷を行わない場合は［キャンセル（Ｆ８）］ボタン１３８を押下する。印刷が終了（もしくはキャンセル）すると、新規作成の場合は、続けて次の張込指図書の作成を行うかの確認メッセージが表示される。［ＯＫ］を選択した場合、新規作成の初期画面が表示される。［キャンセル］を選択した場合、メインメニューに戻る。修正の場合は、張込指図書一覧画面に戻る。画面を終了するには、［終了（Ｆ１２）］ボタン１４０を押下すると、登録しないで前画面（新規作成の場合は、メインメニュー、修正、参照の場合は、張込指図書一覧画面）に戻る。
【００６０】
図１６は、本発明の搗精日報入力工程を実行する搗精日報入力画面の一例を示すとう精日報入力画面２００の概略図である。この画面は、搗精日報の初回修正、修正、参照に使用する。搗精日報を初回修正するには、図示しない搗精日報一覧画面で未搗精の搗精日報Ｎｏ．を搗精日報修正の項に入力して［実行（Ｆ５）］ボタンを押下、または未搗精のみで搗精日報を検索、一覧の行を選択して［修正（Ｆ６）］ボタンを押下すると、指定した搗精日報の初回修正画面が表示されるので、必要な項目を修正して登録を行う。搗精日報を修正するには、図示しない搗精日報一覧画面で未搗精以外の搗精日報Ｎｏ．を搗精日報修正に入力して［実行（Ｆ５）］ボタンを押下、または未搗精以外で搗精日報を検索し、一覧の行を選択して［修正（Ｆ６）］ボタンを押下すると、指定した搗精日報の修正画面が表示されるので、必要な項目を修正して登録を行う。なお、締済のものは修正できず、参照のみとなる。とう精日報入力画面２００の項目内容について説明すると、［とう精日報Ｎｏ］２０１には、搗精日報Ｎｏ．が表示される。［とう精担当者］２０２は、入力必須であり、搗精担当者を指定する。指定方法は、張込指図書の［担当者］と同様である。［とう精確認者］２０３では、搗精確認者を指定する。指定方法は、張込指図書の［担当者］と同様である。［グレードＮｏ］２０４、［グレード名］２０５には、グレードＮｏ．とグレード名が表示される。［とう精日］２０６には搗精日が表示される。初回修正時は、当日日付が表示される。［調製日］２０７には、［原料明細］２１０の下の［調製日］２０８と［繰越白米］２２０の下の［調整日］２０９から、より古いものが表示される。［原料明細］２１０には、原料情報を入力する。明細項目の入力について説明すると、初回修正の場合は１行目の張込指図書Ｎｏ．、ＧＴＫ、グレードＮｏ．、グレード名、張込日、調製日、搗精受入重量（搗精受入重量には、搗精日報と同一Ｎｏ．の張込指図書残重量が自動表示される。手入力も可能である。）の項目に搗精日報と同一Ｎｏ．の張込指図書情報が表示される。［張込指図書Ｎｏ］２１１を入力すると、ＧＴＫ、グレードＮｏ．、グレード名、張込日、調製日の項目に指定した張込指図書の情報が表示される。最終行に入力すると、空行が下に追加される。［とう精受入重量］２１２を入力すると、明細下の［合計］２１３に明細全行の合計重量が表示される。明細下項目の入力について説明すると、［調製日］２０８は手入力可能である。また、［調製日］２０８内にカーソルを置き、Ｆ４キーを押下、［調製日］２０８を削除し、Ｔａｂキーまたはマウスクリックで他の項目に移動することによって、自動表示することもできる。自動表示を行うと、明細の［調製日］２１４中で一番古いものが表示される。［とう精明細］２１５には、搗精情報を入力する。明細項目の入力について説明すると、［ライン］２１６、［開始時間］２１７、［終了時間］２１８、［ＨＴＫ］２３６は入力必須であり、［とう精受入重量］２１９には、［原料明細］２１０下の［合計］２１３と［繰越白米］２２０下の［繰越白米合計重量］２２１の和が表示される。手入力も可能であるが、［原料明細］２１０や［繰越白米］２２０を修正すると、計算値に書き換わるので注意を要する。［ＨＴＫ受入重量］２２２、［製品出来高重量］２２３には、［白米計量値］２２４の値が表示される。手入力も可能であるが、［白米計量値］２２４を修正すると、［白米計量値］２２４の値に書き換わるので注意を要する。［白米歩留］２２５：［とう精受入重量］２１９÷［白米計量値］２２４、［繰越白米重量］２２６：［繰越白米］２２０下の［繰越白米合計重量］２２１、［ＰＴＫ送米重量］２２７：送米日報や他の搗精日報で繰越使用されている重量、［白米タンク残重量］２２８：［製品出来高重量］２２３−［ＰＴＫ送米重量］２２７は、全て表示のみとなる。［繰越白米］２２０には、繰越白米情報を入力する。明細項目の入力について説明すると、［とう精日報Ｎｏ］２３０を入力すると、ＨＴＫ、搗精日、調整日、グレードＮｏ．、グレード名の項目に指定した搗精日報の情報が表示される。最終行に入力すると、空行が下に追加される。［繰越白米重量］２３１を入力すると、明細下の［繰越白米合計重量］２２１に明細全行の合計重量が表示される。明細下項目の入力について説明すると、［調製日］２０９は手入力可能である。また、［調製日］２０９内にカーソルを置き、Ｆ４キーを押下、［調製日］２０９を削除し、Ｔａｂキーまたはマウスクリックで他の項目に移動することによって、自動表示することもできる。自動表示を行うと、明細の［調製日］２３２中で一番古いものが表示される。入力したものをクリアするには、［キャンセル（Ｆ８）］ボタン２３３を押下すると、最初に画面を表示したときの情報が表示される。
【００６１】
必要な項目を入力したら、［登録（Ｆ５）］ボタン２３４を押下して、搗精日報の登録を行う。搗精日報を開いてから登録ボタン押下までの間に他で更新された場合は画面が再表示される。その際、修正した値は登録されないので注意を要する。入力必須項目が未入力の場合は、エラーメッセージが表示されるので入力する。また、［原料明細］２１０で指定した重量が指定した張込指図書の残重量より多い場合、［原料明細］２１０に１行も入力していない場合に、［調製日］２１４の入力がある場合、［繰越白米］２２０で指定した繰越白米重量が、指定した搗精日報の残重量より多い場合、［繰越白米］２２０に１行も入力していない場合に、［調製日］２３２の入力がある場合もエラーメッセージが表示されるので、値の修正をする。登録が完了すると、図示しない印刷指定画面が表示される。搗精日報のみにチェックがついた状態で表示されるので、その他の日報（帳票）を印刷したい場合は、チェックをつける。［印刷（Ｆ７）］ボタンを押下すると、チェックがついた帳票が印刷される。印刷を行わない場合は［キャンセル（Ｆ８）］ボタン２３３を押下する。印刷が終了（もしくはキャンセル）すると、搗精一覧画面に戻る。画面を終了するには、［終了（Ｆ１２）］ボタン２３５を押下すると、搗精日報一覧画面に戻る。
【００６２】
図１７は、本発明の送米日報入力工程を実行する送米日報入力画面の一例を示す送米日報入力画面３００の概略図である。この画面は、送米日報の新規作成、初回修正、修正、参照、削除に使用する。図１７に示した入力画面３００は、［無洗米工程有り］３００ａのボックスにチェックが入力され、無洗米工程が有りに設定している画面であり、無しに設定すると、画面下方の［無洗米工程］３００ｂは表示されず、［無洗送米重量］３１１の表示が［ＰＴＫ送米重量］に変わる。送米日報を新規に作成するには、図１４に示すメインメニュー［送米日報−新規］ボタン５４ａを押下すると、送米日報の新規作成画面（送米日報入力画面）３００が表示されるので、必要な項目を入力して登録を行う。登録すると、送米日報Ｎｏ．が自動採番される。送米日報を初回修正するには、図示しない送米日報一覧画面で未送米の送米日報Ｎｏ．を送米日報修正に入力して［実行（Ｆ５）］ボタンを押下、または未送米のみで送米日報を検索し、一覧の行を選択して［修正（Ｆ６）］ボタンを押下すると、指定した送米日報の初回修正画面が表示されるので、必要な項目を入力して登録を行う。送米日報を修正するには、図示しない送米日報一覧画面で［実行（Ｆ５）］ボタンまたは［修正（Ｆ６）］ボタンを押下すると、指定した送米日報の修正画面が表示されるので、必要な項目を修正して登録を行う。但し、締済のものは修正できず、参照のみとなる。送米日報を削除するには、修正の場合と同様にして修正画面を表示し、［削除（Ｆ９）］ボタンを押下することにより、送米日報を削除することができる。但し、張込指図書から作成されている場合、同一Ｎｏ．の包装日報が登録されている場合、他の包装日報で使用されている場合には、削除ボタンが表示されず、削除することができない。送米日報入力画面３００の項目内容について説明すると、［送米日報Ｎｏ］３０１には、初回修正、修正、参照の場合は、送米日報Ｎｏ．が表示される。新規作成の場合は空で表示され、登録時に自動採番される。［送米担当者］３０２は、入力必須であり、送米担当者を指定する。指定方法は張込指図書の［担当者］と同様である。［送米確認者］３０３では、送米確認者を指定する。指定方法は張込指図書の［担当者］と同様である。［グレードＮｏ］３０４、［グレード名］３０５には、張込指図書より作成の場合はグレードＮｏ．とグレード名が表示される。送米日報より作成の場合はグレードＮｏ．を入力する。入力するとグレード名が表示される。送米日報より作成の場合は必須となる。［送米日］３０６は、入力必須であり、送米日を入力する。新規作成、初回修正時は、当日日付が表示される。［とう精日］３０７には、搗精日が表示される。初回修正時は、同一Ｎｏ．の搗精日報の搗精日が、新規時は、ブランクとなっている。［調製日］３０８には、［白米タンク−パッカータンク送米明細］３０９の下の調製日と［商品投入明細］３１７の下の［調製日］３２４から、より古いものが表示される。［白米タンク−パッカータンク送米明細］３０９には、白米タンク−パッカータンク送米情報を入力する。明細項目の入力について説明すると、初回修正の場合は１行目の搗精日報Ｎｏ．、搗精日、調製日、グレードＮｏ．、グレード名、ＨＴＫ、ＨＴＫ残重量（ＨＴＫ残重量には、送米日報と同一Ｎｏ．の搗精日報残重量が自動表示される）の項目に送米日報と同一Ｎｏ．の搗精日報情報が表示される。［とう精日報Ｎｏ］３１０を入力すると、搗精日報Ｎｏ．、搗精日、調製日、グレードＮｏ．、グレード名、ＨＴＫ、ＨＴＫ残重量の項目に指定した搗精日報の情報が表示される。最終行に入力すると、空行が下に追加される。図示しない上記［ＰＴＫ送米重量］（上述したように、無洗米工程有りに設定されていれば、［無洗送米重量］３１１）を入力すると、［ＨＴＫ残重量］３１２が自動計算（プログラム内部で、搗精工程日報の[製品出来高重量]２２３から［ＰＴＫ送米重量］を減算した結果を［ＨＴＫ残重量］に表示）される。また、明細下の［合計］３１３に明細全行の合計重量が表示される。明細下項目の入力について説明すると、［調製日］３１４は手入力可能である。また、［調製日］３１４内にカーソルを置き、Ｆ４キーを押下、［調製日］３１４を削除し、Ｔａｂキーまたはマウスクリックで他の項目に移動することによって、自動表示することもできる。自動表示を行うと、明細の［調製日］３１５中で一番古いものが表示される。［商品投入担当］３１６では、商品投入担当者を指定する。指定方法は張込指図書の［担当者］と同様である。［商品投入明細］３１７に入力がある場合は必須となる。［商品投入明細］３１７には、商品投入情報を入力する。明細項目の入力について説明すると、使用した商品の包装ロットＮｏ．が分かっている場合は、［包装ロットＮｏ］３１８を入力する。指定した包装ロットＮｏ．の在庫が登録されていれば、商品コード、商品名、規格、搗精日、調製日の項目に在庫ロット情報が表示される。使用した商品の包装ロットＮｏ．が分からない場合は、［商品コード］３１９を入力すると、商品名、規格の項目に指定した商品情報が表示される。最終行に入力すると、空行が下に追加される。［本数］３２０を入力すると、［合計重量］３２１＝［規格］３２２×［本数］３２０が自動計算される。また、明細下の［合計重量］３２３に明細全行の合計重量が表示される。明細下項目の入力について説明すると、［調製日］３２４は手入力可能であり、また、［調製日］３２４内にカーソルを置き、Ｆ４キーを押下、［調製日］３２４を削除し、Ｔａｂキーまたはマウスクリックで他の項目に移動することによって、自動表示することもできる。自動表示を行うと、明細の［搗精日］３２５、［調製日］３２６中で一番古いものが表示される。［ＰＴＫＮｏ］３２７は、入力必須であり、ＰＴＫＮｏを入力する。［送米合計重量］３２８には、［白米タンク−パッカータンク送米明細］３０９下の［合計］３１３と［商品投入明細］３１７下の［合計重量］３２３の和が表示される。入力したものをクリアするには、［キャンセル（Ｆ８）］ボタン３２９を押下すると、最初に画面を表示したときの情報が表示される。
【００６３】
必要な項目を入力したら、［登録（Ｆ５）］ボタン３３０を押下して送米日報の登録を行う。送米日報を開いてから登録ボタン押下までの間に他で更新された場合は画面が再表示される。その際、修正した値は登録されないので注意する。入力必須項目が未入力の場合は、エラーメッセージが表示されるので入力する。また、［白米タンク−パッカータンク送米明細］３０９で指定した数量が玄米在庫の残数より多い場合、［白米タンク−パッカータンク送米明細］３０９に１行も入力していない場合に、［調製日］３１５の入力がある場合、［商品投入明細］３１７で指定した［本数］３２０が、在庫の残本数より多い場合、［商品投入明細］３１７に１行も入力していない場合に、［調製日］３２６の入力がある場合もエラーメッセージが表示されるので、値の修正をする。登録が完了すると、図示しない印刷指定画面が表示される。新規作成の場合は、送米日報と包装日報にチェックがついた状態で表示されるので、包装日報が不要な場合は、チェックを外す。送米日報より作成の場合、印刷を行わないと、包装日報は作成されないので注意する。初回修正、修正の場合は、送米日報のみにチェックがついた状態で表示されるので、その他の日報を印刷したい場合は、チェックをつける。［印刷（Ｆ７）］ボタンを押下すると、チェックがついた帳票が印刷される。印刷を行わない場合は［キャンセル（Ｆ８）］ボタンを押下する。印刷が終了（もしくはキャンセル）すると、新規作成の場合は、続けて次の送米日報の作成を行うかの確認メッセージが表示される。［ＯＫ］を選択した場合、新規作成の初期画面が表示される。［キャンセル］を選択した場合、メインメニューに戻る。初回修正、修正の場合は、送米日報一覧画面に戻る。画面を終了するには、［終了（Ｆ１２）］ボタン３３１を押下すると、登録しないで前画面（新規作成の場合は、メインメニュー、初回修正、修正、参照の場合は、送米日報一覧画面）に戻る。
【００６４】
図１８は、本発明の包装日報入力工程を実行する包装日報入力画面の一例を示す包装日報入力画面４００の概略図である。この画面は、包装日報の新規作成、初回修正、修正、参照、削除に使用する。包装日報を新規に作成するには、図１４に示すメインメニュー［包装日報−新規］ボタン５５ｂを押下すると、包装日報の新規作成画面が表示されるので、必要な項目を入力して登録を行う。登録すると、包装日報Ｎｏ．が自動採番される。包装日報を初回修正するには、図示しない包装日報一覧画面で未包装の包装日報Ｎｏ．を包装日報修正に入力して［実行（Ｆ５）］ボタンを押下、または未包装のみで包装日報を検索し、一覧の行を選択して［修正（Ｆ６）］ボタンを押下すると、指定した包装日報の初回修正画面が表示されるので、必要な項目を入力して登録を行う。包装日報を修正するには、図示しない包装日報一覧画面で［実行（Ｆ５）］ボタンまたは［修正（Ｆ６）］ボタンを押下すると、指定した包装日報の修正画面が表示されるので、必要な項目を修正して登録を行う。但し、締済のものは修正できず、参照のみとなる。包装日報を削除するには、修正の場合と同様にして修正画面を表示し、［削除（Ｆ９）］ボタンを押下することにより、包装日報を削除することができる。但し、張込指図書または送米日報から作成されている場合、他の包装日報で繰越使用されている場合には、削除ボタンが表示されず、削除することはできない。包装日報入力画面４００の項目内容について説明すると、［包装日報Ｎｏ］４０１には、初回修正、修正、参照の場合は、包装日報Ｎｏ．が表示される。新規作成の場合は空で表示され、登録時に自動採番される。［包装確認者］４０２では、包装確認者を指定する。指定方法は張込指図書の［担当者］と同様である。［グレードＮｏ］４０３、［グレード名］４０４には、張込指図書または送米日報より作成の場合はグレードＮｏ．とグレード名が表示される。包装日報より作成の場合はグレードＮｏ．を入力するとグレード名が表示される。包装日報より作成の場合は必須となる。［包装日］４０５は、入力必須であり、包装日を入力する。新規作成、初回修正時は、当日日付が表示されている。［とう精日］４０６には、搗精日が表示される。初回修正時には、同一Ｎｏ．の送米日報の搗精日が表示され、新規作成時には、空で表示されている。［調製日］４０７には、［パッカータンク白米残］４１１の下の［調製日］４１２と［商品再パック明細］４１３の下の［調製日］４１４から、より古いものが表示される。［送米日報Ｎｏ］４０８には、張込指図書または送米日報より作成の場合は送米日報Ｎｏ．が表示される。張込指図書、送米日報より作成されている場合は、送米合計重量が表示される。［ＨＴＫＮｏ−送米合計重量］４０９には、包装日報と同一Ｎｏ．の送米日報残重量が自動表示されるが、手入力も可能である。包装より作成の場合は必須となる。［調製日］４１０には、［送米日報Ｎｏ］４０８に指定した送米日報の調製日が表示される。［パッカータンク白米残］４１１には、白米タンク−パッカータンク包装情報を入力する。明細項目の入力について説明すると、［包装日報Ｎｏ］４１５を入力すると、包装日報Ｎｏ．、搗精日、調製日、グレードＮｏ．、グレード名、ＰＴＫＮｏ．、ＰＴＫ送米重量の項目に指定した包装日報の情報が表示される。最終行に入力すると、空行が下に追加される。［ＰＴＫ送米重量］４１６を入力すると、明細下の［合計］４１７に明細全行の合計重量が表示される。明細下項目の入力について説明すると、［調製日］４１２は手入力可能であり、また、［調製日］４１２内にカーソルを置き、Ｆ４キーを押下、［調製日］４１２を削除し、Ｔａｂキーまたはマウスクリックで他の項目に移動することによって、自動表示することもできる。自動表示を行うと、明細の［調製日］４１８中で一番古いものが表示される。［パッカータンクＮｏ］４１９は、入力必須であり、パッカータンクＮｏ．を入力する。［パッカーＮｏ］４２０は、入力必須であり、パッカーＮｏ．を入力する。［包装開始白米重量］４２１には、［ＨＴＫ−送米合計重量］４０９と［パッカータンク白米残］４１１下の［合計］４１７と［商品再パック明細］４１３下の［合計重量］４２２の和が表示される。［包装商品明細］４２３には、包装商品情報を入力する。明細項目の入力について説明すると、［包装ロットＮｏ］４２４は、印字機連携から自動採番される。［商品コード］４２５は、印字機連携で入力した商品コードが自動にセットされ、商品名、規格の項目に指定した商品情報が表示される。但し、修正の時、以前登録した包装ロットＮｏ．が出庫されている場合、包装ロットＮｏ．と商品コードは入力不可である。［本数］４２６は印字機連携で入力した本数が自動にセットされ、［本数］４２６から［袋数］４２７＝［本数］４２６÷［入数］４２８、［包装出来高重量］４２９＝［規格］４３０×［本数］４２６、［残重量］４３１＝１行目・・・［包装開始白米重量］４２１−現在行の［包装出来高重量］４２９、２行目以降・・・１行上の行の［残重量］４３１−現在行の［包装出来高重量］４２９が自動計算される。［包装担当者］４３２は印字機連携で入力した包装担当者が自動にセットされる。［繰越ＰＴＫ番号］４３３は入力必須であり、繰越タンク番号を入力する。［減耗重量］４３４には、完了ボタンが押された時点で残重量が減耗重量にセットされる。［廃棄重量］４３５には、［包装商品明細］４２３最終行の［残重量］４３１−［減耗重量］４３４が表示される。［商品再パック明細］４１３には、商品投入情報を入力する。明細項目の入力について説明すると、使用した商品の包装ロットＮｏ．が分かっている場合は、［包装ロットＮｏ］４４６を入力する。指定した包装ロットＮｏ．の在庫が登録されていれば、商品コード、商品名、規格、搗精日、調製日の項目に在庫ロット情報が表示される。使用した商品の包装ロットＮｏ．が分からない場合は、［商品コード］４３６を入力すると、商品名、規格の項目に指定した商品情報が表示される。最終行に入力すると、空行が下に追加される。［本数］４３７を入力すると、［合計重量］４３８＝［規格］４３９×［本数］４３７が自動計算される。また、明細下の［合計重量］４２２に明細全行の合計重量が表示される。明細下項目の入力について説明すると、［調製日］４１４は手入力可能である。また、［調製日］４１４内にカーソルを置き、Ｆ４キーを押下、［調製日］４１４を削除しＴａｂキーまたはマウスクリックで他の項目に移動することによって、自動表示することもできる。自動表示を行うと、明細の［搗精日］４４０、［調製日］４４１中で一番古いものが表示される。［包装出来高重量］４４２には、［パッカータンク白米残］４１１下の［合計］４１７と［商品再パック明細］４１３下の［合計重量］４２２の和が表示される。入力したものをクリアするには、［キャンセル（Ｆ８）］ボタン４４３を押下すると、最初に画面を表示したときの情報が表示される。
【００６５】
必要な項目を入力したら、［登録（Ｆ５）］ボタン４４４を押下して包装日報の登録を行う。包装日報を開いてから登録ボタン押下までの間に他で更新された場合は画面が再表示される。その際、修正した値は登録されないので注意する。入力必須項目が未入力の場合は、エラーメッセージが表示されるので入力する。また、［パッカータンク白米残］４１１で指定した数量が玄米在庫の残数より多い場合、［パッカータンク白米残］４１１に１行も入力していない場合に、［調製日］４１２の入力がある場合、［包装商品明細］４２３で指定した［本数］４２６が、在庫の出荷本数より少ない場合、［商品再パック明細］４１３で指定した［本数］４３７が、在庫の残本数より多い場合、［商品再パック明細］４１３に１行も入力していない場合に、［調製日］４４１の入力がある場合にもエラーメッセージが表示されるので、値の修正をする。登録が完了すると、図示しない印刷指定画面が表示される。包装日報のみにチェックがついた状態で表示されるので、その他の日報を印刷したい場合は、チェックをつける。［印刷（Ｆ７）］ボタンを押下すると、チェックがついた帳票が印刷される。印刷を行わない場合は［キャンセル（Ｆ８）］ボタンを押下する。印刷が終了（もしくはキャンセル）すると、新規作成の場合は、続けて次の包装日報の作成を行うかの確認メッセージが表示される。［ＯＫ］を選択した場合、新規作成の初期画面が表示される。［キャンセル］を選択した場合、メインメニューに戻る。初回修正、修正の場合は、包装日報一覧画面に戻る。画面を終了するには、［終了（Ｆ１２）］ボタン４４５を押下すると、登録しないで前画面（新規作成の場合は、メインメニュー、初回修正、修正、参照の場合は、包装日報一覧画面）に戻る。
【００６６】
図１９は、本発明の製品入出庫日報入力工程を実行する製品入庫日報入力画面の一例を示す製品入庫日報入力画面５００の概略図である。この画面は、製品入庫日報の新規作成、修正、参照、削除に使用する。製品入庫日報を新規に作成するには、図１４に示すメインメニュー［製品入出庫日報−入庫−新規］ボタン５７ａを押下すると、製品入庫日報の新規作成画面が表示されるので、必要な項目を入力して登録を行う。製品入庫日報を修正するには、図示しない製品入庫日報一覧画面で［実行（Ｆ５）］ボタンまたは［修正（Ｆ６）］ボタンを押下すると、指定した製品入庫日報の修正画面が表示されるので、必要な項目を修正して登録を行う。但し、締済のものは修正できず、参照のみとなる。製品入庫日報を削除するには、修正の場合と同様にして修正画面を表示し、［削除（Ｆ９）］ボタンを押下することにより、製品入庫日報を削除することができる。製品入庫日報入力画面５００の項目内容について説明すると、［製品入庫日］５０１は、入力必須であり、新規作成の場合は製品入庫日を指定する。修正、参照の場合は表示のみとなる。［責任者］５０２は、入力必須であり、責任者を指定する。指定方法は張込指図書の［担当者］と同様である。［処理区分］５０３、[包装ロットＮｏ］５０４以降の商品明細には、製品入庫明細情報を入力する。明細項目の入力について説明すると、まず、［処理区分］５０３をリストから選択する。入庫した製品の包装ロットＮｏ．が分かっている場合は、［包装ロットＮｏ］５０４を入力する。［処理区分］５０３が他工場商品の場合、指定した包装ロットＮｏの在庫がその工場に登録されていれば、商品コード、商品名、規格、入数、搗精日、調製日、包装日の項目に在庫ロット情報が表示される。入庫した製品の包装ロットＮｏ．が分からない場合は、［商品コード］５０５を入力すると、商品名、規格、入数の項目に指定した商品情報が表示される。最終行に入力すると、空行が下に追加される。修正の時、［処理区分］５０３は入力不可である。また、以前登録した商品が既に出庫されている場合、包装ロットＮｏ．と商品コードは入力不可である。［本数］５０６を入力すると、［袋数］５０７＝［本数］５０６÷［入数］５０８、［重量］５０９＝［規格］５１０×［本数］５０６が自動計算される。［とう精日］５１１、［調製日］５１２、図示しない［包装日］の何れか１つは入力必須である。なお、［包装日］の列は、右スクロールで表示される。［包装日］が表示されていない場合は、［Ｔａｂ］キーで包装日欄には移動しない。入力したものをクリアするには、［キャンセル（Ｆ８）］ボタン５１３を押下すると、最初に画面を表示したときの情報が表示される。
【００６７】
必要な項目を入力したら、［登録（Ｆ５）］ボタン５１４を押下して製品入庫日報の登録を行う。製品入庫日報を開いてから登録ボタン押下までの間に他で更新された場合は画面が再表示される。その際、修正した値は登録されないので注意する。入力必須項目が未入力の場合は、エラーメッセージが表示されるので入力する。また、新規作成の時、指定した入庫日が既に登録されている場合、修正の時、以前登録した製品が出庫されている場合、指定した本数が出庫数より少ない場合もエラーメッセージが表示されるので、値の修正をする。登録が完了すると印刷確認メッセージが表示される。［ＯＫ］ボタンを押下すると、製品入庫日報が印刷される。印刷が終了（もしくはキャンセル）すると、前画面（新規作成の場合は、メインメニュー、修正、参照の場合は、製品入庫日報一覧画面）に戻る。画面を終了するには、［終了（Ｆ１２）］ボタン５１５を押下すると、登録しないで前画面（新規作成の場合は、メインメニュー、修正、参照の場合は、製品入庫日報一覧画面）に戻る。
【００６８】
図２０は、本発明の製品出庫日報入力工程を実行する製品出庫日報入力画面の一例を示す製品出庫日報入力画面６００の概略図である。この画面は、製品出庫日報の新規作成、修正、参照、削除に使用する。製品出庫日報を新規に作成するには、図１４に示すメインメニュー［製品入出庫日報−出庫−新規］ボタン５８ａを押下すると、製品出庫日報の新規作成画面が表示されるので、必要な項目を入力して登録を行う。製品出庫日報を修正するには、図示しない製品出庫日報一覧画面で［実行（Ｆ５）］ボタンまたは［修正（Ｆ６）］ボタンを押下すると、指定した製品出庫日報の修正画面が表示されるので、必要な項目を修正して登録を行う。但し、締済のものは修正できず、参照のみとなる。製品出庫日報を削除するには、修正の場合と同様にして修正画面を表示し、［削除（Ｆ９）］ボタンを押下することにより、製品出庫日報を削除することができる。製品出庫日報入力画面６００の項目内容について説明すると、［製品出庫日］６０１は、入力必須であり、新規作成の場合は製品出庫日を指定する。修正、参照の場合は表示のみとなる。［責任者］６０２は、入力必須であり、張込指図書の［担当者］と同様にして、責任者を指定する。［処理区分］６０３、［包装ロットＮｏ］６０４以降の商品明細には、製品出庫明細情報を入力する。明細項目の入力について説明すると、まず、［処理区分］６０３をリストから選択する。出庫した製品の包装ロットＮｏ．が分かっている場合は、［包装ロットＮｏ］６０４を入力する。指定した包装ロットＮｏ．の在庫が登録されていれば、商品コード、商品名、規格、入数、搗精日調製日、包装日の項目に在庫ロット情報が表示される。出庫した製品の包装ロットＮｏ．が分からない場合は、［商品コード］６０５を入力すると、商品名、規格、入数の項目に指定した商品情報が表示される。最終行に入力すると、空行が下に追加される。但し、修正の時、［処理区分］６０３は入力不可である。［本数］６０６を入力すると、［袋数］６０７＝［本数］６０６÷［入数］６０８、［重量］６０９＝［規格］６１０×［本数］６０６が自動計算される。［とう精日］６１１、［調製日］６１２、図示しない［包装日］の何れか１つは入力必須である。［包装日］については、上記製品入庫日報入力画面と同様である。入力したものをクリアするには、［キャンセル（Ｆ８）］ボタン６１３を押下すると、最初に画面を表示したときの情報が表示される。必要な項目を入力したら、［登録（Ｆ５）］ボタン６１４を押下して製品出庫日報の登録を行う。以下は、上記製品入庫日報入力画面と同様である。
【００６９】
図２１は、本発明の製品振替日報入力工程を実行する製品振替日報入力画面の一例を示す製品振替日報入力画面７００の概略図である。この画面は、製品振替日報の新規作成、修正、参照、削除に使用する。製品振替日報を新規に作成するには、図１４に示すメインメニュー［製品入出庫日報−振替−新規］ボタン５９ａを押下すると、製品振替日報の新規作成画面が表示されるので、必要な項目を入力して登録を行う。製品振替日報を修正するには、製品振替日報一覧画面で［実行（Ｆ５）］ボタンまたは［修正（Ｆ６）］ボタンを押下すると、指定した製品振替日報の修正画面が表示されるので、必要な項目を修正して登録を行う。但し、締済のものは修正できず、参照のみとなる。製品振替日報を削除するには、修正の場合と同様にして修正画面を表示し、［削除（Ｆ９）］ボタンを押下することにより、製品振替日報を削除することができる。項目内容について説明すると、［製品振替日］７０１は、入力必須であり、新規作成の場合は製品振替日を指定する。修正・参照の場合は表示のみとなる。［責任者］７０２は入力必須であり、張込指図書の［担当者］と同様にして責任者を指定する。［処理区分］７０３、［包装ロットＮｏ］７０４以降の商品明細には、製品振替明細情報を入力する。明細項目の入力について説明すると、［処理区分］７０３は製品振替固定で、変更できない。振替した製品の包装ロットＮｏ．が分かっている場合は、［包装ロットＮｏ］７０４を入力する。指定した包装ロットＮｏ．の在庫が登録されていれば、商品コード、商品名、規格、入数、搗精日、調製日、包装日の項目に在庫ロット情報がすると、商品名、規格、入数の項目に指定した商品情報が表示される。最終行に入力すると、空行が下に追加される。［本数］７０５を入力すると、［袋数］７０６＝［本数］７０５÷［入数］７０７、［重量］７０８＝［規格］７０９×［本数］７０５が自動計算される。［とう精日］７１０、［調製日］７１１、図示しない［包装日］の何れか１つは入力必須である。［包装日］については、上記製品入庫日報入力画面と同様である。入力したものをクリアするには、［キャンセル（Ｆ８）］ボタン７１２を押下すると、最初に画面を表示したときの情報が表示される。必要な項目を入力したら、［登録（Ｆ５）］ボタン７１３を押下して製品振替日報の登録を行う。以下は、上記製品入庫日報入力画面と同様である。
【００７０】
図２２は、本発明において使用される包装計画・実績及び米袋印字画面の一例を示す包装計画・実績及び米袋印字画面８００の概略図である。この画面は、包装計画の入力、印字機への米袋印字指示、包装実績の登録を行う。印字機に接続されていない場合は、印字指示と包装実績の取得はできない。この画面で完了した計画データは、自動的に包装日報の明細に追加される。一覧データを表示するには、［並替］コンボボックス８０１、［絞込］コンボボックス８０２、［状態］チェックボックス８０３に、一覧に表示したい条件を指定して［検索（Ｆ１０）］ボタン８０４を押下すると、画面下の一覧に指定した条件の包装計画データが表示される。他のパーソナルコンピュータで変更されたデータが、自動的に更新されることはない。最新の情報が見たい場合は、［検索（Ｆ１０）］ボタン８０４を押下して再表示する。［並替］コンボボックス８０１は、リストから、並び替えしない、包装日報Ｎｏ、包装日報Ｎｏと商品コードを選択する。［検索（Ｆ１０）］ボタン８０４を押下すると、選択した順序で一覧が表示される。この順序は、［検索（Ｆ１０）］ボタン８０４押下時のみ有効である。［絞込］コンボボックス８０２は、リストから、絞込しない、商品コード、グレードＮｏ、ＪＡＮコードを選択する。「絞込しない」以外を選択した場合、コードが入力できるようになる。「商品コード」、「グレードＮｏ」の場合は、コードを入力すると、名称が表示される。［検索（Ｆ１０）］ボタン８０４を押下すると、選択した条件で絞り込まれた計画データで一覧が表示される。この条件は、［検索（Ｆ１０）］ボタン８０４押下時のみ有効である。［状態］チェックボックス８０３は、表示したい状態のチェックボックスのみＯＮにする。［検索（Ｆ１０）］ボタン８０４を押下すると、選択した条件で絞り込まれた計画データで一覧が表示される。この条件は、［検索（Ｆ１０）］ボタン８０４押下時のみ有効である。包装計画を新規に作成するには、画面上方の新規計画入力欄８０５に、必要な情報を入力する。［登録（Ｆ５）］ボタン８０６を押下すると、画面下の一覧の一番下に登録した包装計画データが追加される。新規計画入力欄８０５は、包装日報Ｎｏ．、年産、日付項目、計画担当者の項目は、前回の入力がそのまま残り、それ以外の項目はクリアされる。新規計画入力項目について説明すると、［包装日報Ｎｏ］８０６では、包装日報Ｎｏ．を指定する。空でも計画の登録は可能だが、米袋印字を行う時には必ず必要となるので、それまでには入力するようにする。［ＰＮｏ］８０７は、入力必須であり、パッカーＮｏ．を指定する（１〜３０）。印字機との通信を行わない場合は「＊」を指定する。［年産］８０８では、年産を指定する。印字形式によっては、入力必須となる。［商品コード］８０９は、入力必須であり、商品コードを指定する。商品コードを入力すると、商品名、規格、入数が表示される。［計画本数］８１０では、計画本数を指定する。計画本数を入力すると、［計画袋数］８１１が自動計算される。［精米年月日］８１２、［調製年月日］８１３、［包装年月日］８１４では、各日付を指定する。印字形式によっては、入力必須となる。［印字形式］８１５は、入力必須であり、印字形式を指定する（００２〜０１５）。印字形式が未定の場合は「０００」を指定できる。米袋印字を行う時には必ず必要となるので、それまでには正しい印字形式を指定するようにする。［計画担当者］８１６は、入力必須であり、計画担当者を指定する。このボタンを押下すると、担当者検索画面が表示され、ログイン工場に所属する社員名一覧が表示される。図示しない一覧から担当者を選択し、［選択（Ｅｎｔｅｒ）］ボタンまたはＥｎｔｅｒキーを押下すると、ユーザＩＤと名前が画面に表示される。ユーザＩＤを手入力することも可能である。ユーザＩＤを入力すると名前が表示される。包装計画を修正、削除するには、図示しない一覧の中で、修正を行いたい包装計画データの［計画］ボタンを押下すると、包装計画修正、削除画面が表示される。入力項目は、新規計画入力項目と同じである。必要な項目を修正して［登録（Ｆ５）］ボタンを押下すると、一覧画面に修正されたデータが表示される。［削除（Ｆ９）］ボタンを押下すると、一覧画面からデータが削除される。
【００７１】
米袋の印字指示を行う（［ＰＮｏ］８２４が「＊」以外の場合）には、一覧の中で、印字機への印字指示を行いたい包装計画データ（［ＰＮｏ］８２４が「＊」以外のもの）の［送信］ボタン８１７を押下すると、印字機と通信（印字指示データの送信）を行う。包装日報Ｎｏ．が空の場合、印字形式が「０００」の場合はエラーとなるので、包装計画修正画面で計画を正しく修正する。操作している端末で使用できないパッカーの場合、既に実行中のパッカーの場合はエラーとなる。［送信］ボタン８１７を押下すると、担当者検索画面が表示される。包装担当者を選択または担当者コードを入力すると、印字機との通信が開始する。通信が正常に終了すると、商品在庫表が１枚印刷され、包装計画データは｛実行｝の状態になる。この時、［包装ロットＮｏ］８１９が採番される。印字機にて米袋の印字を行う。米袋印字の実績取得を行う（［ＰＮｏ］８２４が「＊」以外の場合）には、一覧の中で、実績取得を行いたい包装計画データ（［ＰＮｏ］８２４が「＊」以外のもの）の［実行］ボタン８１８を押下すると、［包装本数］８２０の入力が可能となる。本数を入力すると、印字機と通信（実績数データの受信）を行う。［実績］ボタン８２１を押下すると、［包装本数］８２０の項目が入力可能になる。この時他のボタン等は使用できない。包装本数を入力して［Ｔａｂ］キーを押下すると、印字機との通信が開始する。通信が正常に終了すると、印字機より取得した実績数が［使用米袋枚数］８２２に表示され、包装計画データは｛実績｝の状態になる。［ロス枚数］８２３は自動計算される（使用米袋枚数−包装本数）。印字指示をしないで実績にする（［ＰＮｏ］８２４が「＊」の場合）には、一覧の中で、実績にしたい包装計画データ（［ＰＮｏ］８２４が「＊」のもの）の［送信］ボタン８１７を押下する。［送信］ボタン８１７を押下すると、担当者検索画面が表示される。包装担当者を選択または担当者コードを入力すると、商品在庫表が１枚印刷され、包装計画データは｛実績｝の状態になる。この時、［包装ロットＮｏ］８１９が採番される。包装実績を修正するには、一覧の中で、修正を行いたい包装実績データの［実績］ボタン８２１を押下すると、包装実績入力画面が表示される。図示しない包装実績入力画面において必要な項目を修正して［登録（Ｆ５）］ボタンを押下すると、一覧画面に修正されたデータが表示され、［印刷（Ｆ７）］ボタンを押下すると、印刷枚数指定画面が表示され（印刷部数の初期値は２である）、印刷部数を入力して［印刷（Ｆ７）］ボタンを押下すると、商品在庫表が指定枚数印刷され、一覧画面に修正されたデータが表示される。［包装日報Ｎｏ修正（Ｆ６）］ボタンを押下すると、包装日報Ｎｏ．の項目が入力可能になる。この時、正しい包装日報Ｎｏ．を入力するまで、他のボタン等は使用できない。［計画へ移動（Ｆ２０）］ボタンを押下すると、確認メッセージが２回表示される。ＯＫを選択すると、包装実績データは｛計画｝の状態になる。この時、包装本数〜使用米袋枚数、包装ロットＮｏ．、包装担当者がクリアされる。
【００７２】
実行データを計画へ移動するには、一覧の中で、計画へ移動したい包装実行データの［実行］ボタン８１８にフォーカスがある状態で、Ｆ１２（Ｓｈｉｆｔ＋Ｆ８）ボタンを押下すると、確認メッセージが２回表示される。ＯＫを選択すると、包装実行データは｛計画｝の状態になる。この時、［包装ロットＮｏ］８１９、［包装担当者］８２５がクリアされる。この状態でＦ１２（Ｓｈｉｆｔ＋Ｆ８）ボタン押下する。包装実績を完了するには、一覧の中で、完了処理を行いたい包装実績データの［完了］ボタン８２６を押下する。包装実績入力画面で商品在庫表を印刷していない場合は、商品在庫表が２枚印刷される。包装実績データは｛完了｝状態になり、一覧からデータが削除される。完了した実績データは、包装日報の包装商品明細に自動的に反映される。もし、完了を行いたい包装実績データの包装日報に、包装日、パッカータンクＮｏ．が登録されていなかった場合は、［完了］ボタン８２６を押下した時に、包装実績入力画面が表示される。図示しない包装実績入力画面において、包装年月日、パッカータンクＮｏ．を入力して［登録（Ｆ５）］ボタンを押下する。フォーカスの移動は、［新規計画入力移動（Ｆ６）］ボタン８２７を押下すると、新規計画入力欄の包装日報Ｎｏ．の項目にフォーカスが移る。［計画一覧移動（Ｆ７）］ボタン８２８を押下すると、一覧の最上左ボタンにフォーカスが移る。その他注意点としては、「包装計画を修正・削除する」ステップから「包装実績を完了する」ステップまでの作業は、他のパーソナルコンピュータで同一の包装計画に対して何らかの作業を行っている場合、他のパーソナルコンピュータで作業した結果、内容が変更された場合の場合は操作できない。この場合、エラーメッセージを表示した後に、該当行が最新のデータで再表示されるので、表示内容を確認し、再度操作を行う。一覧に表示されている全ての行を、最新の情報にしたい場合は、［検索（Ｆ１０）］ボタンを押下して再表示する。但し、この場合の表示条件は画面上方の条件欄で指定したものとなるので、検索ボタン押下前と並び順等の表示が異なる場合がある。
【００７３】
本発明により管理された精米製品のロットトレース表は、図１４に示すメインメニュー［ロットトレース］ボタン６１ｂを押下すると、上述したようにロットトレース表の出力条件指定画面が表示されるので、出力条件を図示しないロットトレース表の出力条件指定画面において、出力条件を［張込日］、［とう精日］、［包装ロットＮｏ］の中から選択し、出力条件を指定して［出力（Ｆ５）］ボタンを押し下げると、出力先ファイル名を指定する画面が表示されるので、出力先のフォルダとファイル名を指定して［保存］ボタンを押下げることによって、指定したファイルにロットトレース表がＣＶＳ形式のテキストファイルで出力される。図２３は、本発明により管理された精米製品のロットトレース表８ａの一例を示すものである。このロットトレース表８ａは、［原料張込］９００の部、［製品工程戻（張込）］９１０（張込工程への製品戻し）の部、［とう精明細］９２０の部、［製品工程戻（送米）］９３０（搗精工程から選別工程に送米する際に製品を戻す製品工程戻し）の部、［送米明細］９４０（選別工程である送米）の部、［製品工程戻（包装）］９５０（製品を包装工程に戻す製品工程戻し）の部、［製品包装実績］９６０の部で構成されており、このロットトレース表８ａの［原料張込］９００の各項目の記載によって精米原料の履歴を容易に把握することができ、また、精米原料の産年は、［原料張込］９００の［年産］９０１の項の記載から、精米製品の精米日は、［製品包装実績］９６０の［とう精日］９６１の項の記載によって容易に把握することができる。更に、［原料張込］９００の［玄米タンク番号］９０２の項の記載から玄米タンク番号、［とう明細］９２０の［ＨＴＫ］９２１の項の記載から白米タンク番号、［製品包装実績］９６０の［ＰＮｏ］９６２の項の記載からパッカータンク包装機番号、［包装日］９６３の項の記載から包装日、［原料張込］９００の［張込日］９０３、［出荷日］９０４、［製品工程戻（張込）］９１０の［とう精日］９１１、［包装日］９１２、［とう精明細］９２０の［とう精日］９２１、［開始時間］９２２、［終了時間］９２３、［製品工程戻（送米）］９３０の［とう精日］９３１、［包装日］９３２、［送米明細］９４０の［とう精日］６４１、［製品工程戻（包装）］９５０の［とう精日］６５１、［包装日］６５２、［製品包装実績］９６０の［包装日］９６３などの項の記載から各工程作業日などを正確に把握することもできる。
【００７４】
上記実施形態によれば、混米から精米製品とするまでの一連の生産工程の中で各生産工程に関する管理情報の整合性をチェックして正確な情報管理を行うことができ、例えば、精米原料の正確な履歴を把握することができ、更に、精米製品の正確な産年、精米日、包装日、各工程作業日、玄米タンク、白米タンク、パッカータンク包装機なども把握することもでき、混米から精米製品とするまでの各生産工程を効率的に管理することができる。
【００７５】
なお、本発明は、上記構成に限定されるものではなく、本発明の要旨を逸脱しない範囲で種々変更することができる。
【図面の簡単な説明】
【００７６】
【図１】本発明の一実施形態における好適な精米生産管理業務を説明する業務フロー図である。
【図２】本発明の一実施形態の好適な基本構成を説明する概念図である。
【図３】本発明の一実施形態の好適なデータベースのトランザクションテーブルの関連付けを説明する構成図である。
【図４】本発明の一実施形態の張込指図書入力工程を実行するコンピュータの入力画面における手順を説明するフロー図である。
【図５】本発明の一実施形態の搗精日報入力工程を実行するコンピュータの入力画面における手順を説明するフロー図である。
【図６】本発明の一実施形態の送米日報入力工程を実行するコンピュータの入力画面における手順を説明するフロー図である。
【図７】本発明の一実施形態の包装日報入力工程を実行するコンピュータの入力画面における手順を説明するフロー図である。
【図８】本発明の一実施形態の製品入庫日報入力工程を実行するコンピュータの入力画面における手順を説明するフロー図である。
【図９】本発明の一実施形態の製品出庫日報入力工程を実行するコンピュータの入力画面における手順を説明するフロー図である。
【図１０】本発明の一実施形態の製品振替日報入力工程を実行するコンピュータの入力画面における手順を説明するフロー図である。
【図１１】本発明の一実施形態の印字機連携システムを実行するコンピュータの入力画面における手順を説明するフロー図である。
【図１２】上記印字機連携システムを実行するコンピュータの入力画面における手順を説明するフロー図である。
【図１３】本発明の一実施形態における好適なコンピュータネットワークを説明するシステム図である。
【図１４】本発明の一実施形態を実行するコンピュータの精米生産管理システムのメインメニュー画面の一例を示す概略図である。
【図１５】上記コンピュータの張込指図書入力画面の一例を示す概略図である。
【図１６】上記コンピュータの搗精日報入力画面の一例を示す概略図である。
【図１７】上記コンピュータの送米日報入力画面の一例を示す概略図である。
【図１８】上記コンピュータの包装日報入力画面の一例を示す概略図である。
【図１９】上記コンピュータの製品入庫日報入力画面の一例を示す概略図である。
【図２０】上記コンピュータの製品出庫日報入力画面の一例を示す概略図である。
【図２１】上記コンピュータの製品振替日報入力画面の一例を示す概略図である。
【図２２】上記コンピュータの包装計画・実績及び米袋印字画面の一例を示す概略図である。
【図２３】本発明の精米生産管理システムの一実施形態により作成されるロットトレース表の一例を示す概略図である。
【符号の説明】
【００７７】
１  張込工程
２  搗精工程
３  選別工程
４  包装工程
１１ａ  張込指図書情報
１２ａ  搗精日報情報
１３ａ  送米日報情報
１４ａ  包装日報情報
２１  張込指図書入力工程
２２  搗精日報入力工程
２３  送米日報入力工程
２４  包装日報入力工程
２６  印字機連携情報入力工程（印字情報作成工程）
【図１】
2007196194.tif 000002
【図２】
2007196194.tif 000003
【図３】
2007196194.tif 000004
【図４】
2007196194.tif 000005
【図５】
2007196194.tif 000006
【図６】
2007196194.tif 000007
【図７】
2007196194.tif 000008
【図８】
2007196194.tif 000009
【図９】
2007196194.tif 000010
【図１０】
2007196194.tif 000011
【図１１】
2007196194.tif 000012
【図１２】
2007196194.tif 000013
【図１３】
2007196194.tif 000014
【図１４】
2007196194.tif 000015
【図１５】
2007196194.tif 000016
【図１６】
2007196194.tif 000017
【図１７】
2007196194.tif 000018
【図１８】
2007196194.tif 000019
【図１９】
2007196194.tif 000020
【図２０】
2007196194.tif 000021
【図２１】
2007196194.tif 000022
【図２２】
2007196194.tif 000023
【図２３】
2007196194.tif 000024